(57)【要約】提供されるのは、時間周波数リソースを決定するための方法およびデバイスである。本方法は、第１の通信ノードによって、第１のリソースセットについての以下の情報、すなわち、第１のリソースセット内に含有される第２のリソースセットの時間周波数リソース、第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実装する必要があるかどうかを示すために使用される、動的シグナリングインジケーションのうちの少なくとも１つを決定するステップと、上記に述べられた情報が決定された後、情報を第２の通信ノードに伝送するステップとを含む。
2021500779.tif 000002
【特許請求の範囲】
【請求項１】
時間周波数リソースを決定するための方法であって、
第１の通信ノードによって、第２の通信ノードに関する第１のリソースセットについての以下の情報、すなわち、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを決定することと、
前記情報を前記第２の通信ノードに伝送することであって、前記ＰＤＳＣＨ伝送は、前記第１の通信ノードがＰＤＳＣＨを通してデータを前記第２の通信ノードに伝送するプロセスを含み、前記ＰＵＳＣＨ伝送は、前記第２の通信ノードがＰＵＳＣＨを通してデータを前記第１の通信ノードに伝送するプロセスを含む、ことと
を含む、方法。
【請求項２】
前記第１のリソースセットは、以下の情報、すなわち、
１つ以上のリソースセットまたはアップリンク制御チャネルリソースまたはアップリンク予約リソース、または、完全または部分的リソースセットまたはアップリンク制御チャネルリソースまたはアップリンク予約リソース、
１つ以上の制御リソースセット（ＣＯＲＥＳＥＴ）またはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、１つ以上の具体的信号リソースまたは具体的チャネルリソース
のうちの１つである、請求項１に記載の方法。
【請求項３】
前記第２のリソースセットは、以下の情報、すなわち、
１つ以上のＣＯＲＥＳＥＴまたはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、１つ以上の具体的信号リソースまたは具体的チャネルリソース
のうちの１つを含む、請求項１に記載の方法。
【請求項４】
前記第１の通信ノードによって、前記第２の通信ノードに関する１つ以上の第１のリソースセットを構成すること
をさらに含み、
複数の構成される第１のリソースセットの時間周波数リソースに関して、前記複数の構成される第１のリソースセットのうちの任意の１つの構成される第１のリソースセットの時間周波数リソースは、前記複数の構成される第１のリソースセットの別の構成される第１のリソースセットの時間周波数リソースと部分的または完全に重複されることが禁止される、請求項１に記載の方法。
【請求項５】
複数の第１のリソースセットが第１の通信ノードによって前記第２の通信ノードに関して構成される条件下において、前記第１の通信ノードによって、前記複数の第１のリソースセットの一部または全部に関する優先順位を構成する、請求項１に記載の方法。
【請求項６】
重複が、前記複数の第１のリソースセットの時間周波数リソース内で生じるとき、重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかが、以下の様式、すなわち、
より高い優先順位を有する第１のリソースセットの動的シグナリングインジケーションに従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかを決定すること
を通して決定される、請求項５に記載の方法。
【請求項７】
前記第２の通信ノードに関する前記第１のリソースセットは、
時間ドメインリソースユニット内の時間ドメインリソースの一部が、前記第１のリソースセットとして構成されること、
周波数ドメインリソースユニット内の周波数ドメインリソースの一部が、前記第１のリソースセットとして構成されること
のうちの１つを含む、請求項１に記載の方法。
【請求項８】
前記第２の通信ノードに関する前記第１のリソースセットは、
時間ドメインでは、時間ドメインリソースユニット内の時間ドメインリソースの一部が、前記第１のリソースセットとして周期的に構成されること、
前記時間ドメインリソースユニットは、偏移されること、
周波数ドメインでは、指定されるサブキャリア範囲内の周波数ドメインリソースユニット内の周波数ドメインリソースの一部が、前記第１のリソースセットとして構成されること、
前記周波数ドメインでは、指定される帯域幅範囲内の周波数ドメインリソースユニット内の周波数ドメインリソースの一部が、前記第１のリソースセットとして構成されること
のうちの少なくとも１つを含む、請求項１に記載の方法。
【請求項９】
重複が、複数の第１のリソースセットの時間周波数リソース内で生じると、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかが、以下の様式、すなわち、
ＡＮＤ演算またはＯＲ演算を、前記重複が前記時間周波数リソース内で生じる前記複数の第１のリソースセットの全ての動的シグナリングインジケーションに実施することと、
前記ＡＮＤ演算または前記ＯＲ演算の結果に従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかを決定することと
を通して決定される、請求項１に記載の方法。
【請求項１０】
前記情報は、以下の通り合意される、すなわち、１に設定される前記動的シグナリングインジケーションは、前記対応する第１のリソースセットの全部または一部が前記ＰＤＳＣＨ伝送または前記ＰＵＳＣＨ伝送に対して多重化されることを可能にされること、または前記ＰＤＳＣＨ伝送または前記ＰＵＳＣＨ伝送が前記対応する第１のリソースセット内のリソースの全部または一部においてレートマッチングを実施する必要がないことを示すと合意され、０に設定される前記動的シグナリングインジケーションは、前記対応する第１のリソースセットの全部または一部が前記ＰＤＳＣＨ伝送または前記ＰＵＳＣＨ伝送に対して多重化されることを禁止されること、または前記ＰＤＳＣＨ伝送または前記ＰＵＳＣＨ伝送が前記対応する第１のリソースセット内のリソースの全部または一部においてレートマッチングを実施する必要があることを示すと合意され、
前記ＡＮＤ演算または前記ＯＲ演算を、前記重複が前記時間周波数リソース内で生じる前記複数の第１のリソースセットの全ての動的シグナリングインジケーションに実施すること、および前記ＡＮＤ演算または前記ＯＲ演算の結果に従った決定は、
前記ＯＲ演算を、前記重複が前記時間周波数リソース内で生じる前記複数の第１のリソースセットの動的シグナリングインジケーションに実施することと、
前記ＯＲ演算の結果に従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースにおいてレートマッチングを実施する必要があるかどうかを決定することと
を含む、請求項９に記載の方法。
【請求項１１】
１に設定される前記動的シグナリングインジケーションは、前記対応する第１のリソースセットの全部または一部が前記ＰＤＳＣＨ伝送または前記ＰＵＳＣＨ伝送に対して多重化されることを禁止されること、または前記ＰＤＳＣＨ伝送または前記ＰＵＳＣＨ伝送が前記対応する第１のリソースセット内の時間周波数リソースの全部または一部の周囲でレートマッチングを実施する必要があることを示すと合意され、０に設定される前記動的シグナリングインジケーションは、前記対応する第１のリソースセットの全部または一部が前記ＰＤＳＣＨ伝送または前記ＰＵＳＣＨ伝送に対して多重化されることを可能にされること、または前記ＰＤＳＣＨ伝送または前記ＰＵＳＣＨ伝送が前記対応する第１のリソースセット内の時間周波数リソースの全部または一部の周囲でレートマッチングを実施する必要がないことを示すと合意される条件下では、前記方法はさらに、
前記ＡＮＤ演算を、前記重複が前記時間周波数リソース内で生じる前記複数の第１のリソースセットの動的シグナリングインジケーションに実施することと、
前記ＡＮＤ演算の結果に従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースにおいてレートマッチングを実施する必要があるかどうかを決定することと
を含む、請求項９に記載の方法。
【請求項１２】
重複が、複数の第１のリソースセットの時間周波数リソース内で生じると、前記第１のリソースセットの異なるタイプに関して、以下の情報、すなわち、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースにおいてレートマッチングを実施する必要があるかどうかについての情報が、異なる様式を通して決定され、
前記第１のリソースセットの異なるタイプは、以下、すなわち、異なる時間周波数リソース構成様式、異なる時間周波数リソース構成範囲、異なる時間周波数リソース構成粒度、および異なる時間周波数リソース構成優先順位のうちの１つを含む、請求項１に記載の方法。
【請求項１３】
前記第１のリソースセットが、複数の第２のリソースセットを含む、または前記複数の第２のリソースセットの均等物であるとき、同一の第１のリソースセット内に含まれる前記複数の第２のリソースセットは、以下の特性、すなわち、
前記複数の第２のリソースセット内の前記第２の通信ノードの盲目的検出瞬間構成または盲目的検出周期構成が、同一であること、
前記複数の第２のリソースセットの前記盲目的検出瞬間構成または前記盲目的検出周期構成は、同一レベルを有し、スロットレベルであり、前記スロットレベルである前記複数の第２のリソースセットの前記盲目的検出瞬間構成または前記盲目的検出周期構成のレベルは、前記盲目的検出瞬間構成のそれぞれまたは前記周期構成のそれぞれが、１つのスロットであること、または前記盲目的検出瞬間構成のそれぞれまたは前記周期構成のそれぞれが、複数のスロットのインターバルにあることのうちの１つを示すように構成されること、
前記複数の第２のリソースセットの前記盲目的検出瞬間構成または前記盲目的検出周期構成は、同一レベルを有し、ミニスロットレベルであり、前記ミニスロットレベルである前記複数の第２のリソースセットの前記盲目的検出瞬間構成または前記盲目的検出周期構成のレベルは、前記盲目的検出瞬間構成のそれぞれまたは前記周期構成のそれぞれが、１つのミニスロットであること、および前記盲目的検出瞬間構成のそれぞれまたは前記周期構成のそれぞれが、複数のミニスロットのインターバルにあることのうちの１つを示すように構成されること、
前記複数の第２のリソースセットの前記盲目的検出瞬間構成または前記盲目的検出周期構成は、同一レベルを有し、直交周波数分割多重化（ＯＦＤＭ）シンボルレベルであり、前記ＯＦＤＭシンボルレベルである前記複数の第２のリソースセットの前記盲目的検出瞬間構成または前記盲目的検出周期構成のレベルは、前記盲目的検出瞬間構成のそれぞれまたは前記周期構成のそれぞれが、１つのＯＦＤＭシンボルであること、および前記盲目的検出瞬間構成のそれぞれまたは前記周期構成のそれぞれが、複数のＯＦＤＭシンボルのインターバルにあることのうちの１つを示すように構成されること、
前記複数の第２のリソースセットの前記盲目的検出瞬間構成または前記盲目的検出周期構成は、含有関係を満たす必要があり、前記含有関係は、疎らな回数の盲目的検出または疎らな周期の構成を有する第２のリソースセット、および集約的回数の盲目的検出または集約的周期構成を有する第２のリソースセットに関して、前者の盲目的検出瞬間または周期構成が、後者の盲目的検出瞬間または周期構成のサブセットであるというものであること、
固定時間ユニット内の前記複数の第２のリソースセットの前記盲目的検出瞬間構成または前記盲目的検出周期構成の発生回数は、同一であり、前記固定時間ユニットは、無線フレーム、サブフレーム、スロット、スロットの物理ダウンリンク制御チャネル（ＰＤＣＣＨ）ドメインまたはアップリンク制御チャネル範囲、またはスロットの固定場所におけるいくつかのＯＦＤＭシンボルの固定数のうちの１つを含むこと
のうちの少なくとも１つを満たす必要がある、請求項１に記載の方法。
【請求項１４】
前記動的シグナリングインジケーションは、前記第１のリソースセットに関する多重化またはレートマッチング動的シグナリングインジケーションであり、前記第１のリソースセットに関する多重化またはレートマッチング動的シグナリングインジケーションの有効時間ドメイン範囲は、
前記第１のリソースセットが前記ＰＤＳＣＨまたは前記ＰＵＳＣＨの伝送によって使用されるリソースと重複されるときの第１の盲目的検出瞬間または第１の周期構成瞬間に対応する時間周波数リソース、
前記第１のリソースセットが前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットがＰＤＣＣＨドメインまたはアップリンク制御チャネルリソース範囲内の前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットが前記ＰＤＳＣＨまたは前記ＰＵＳＣＨの伝送によって使用されるリソースと重複されるときの前記第２の通信ノードによって時間周波数リソースにおいて実施される盲目的検出の結果に従って決定された有効時間ドメイン範囲、
前記第１のリソースセットが前記ＰＤＳＣＨまたは前記ＰＵＳＣＨの伝送によって使用されるリソースと重複されるときの第１のサブフレームまたは第１のスロット、および
前記第１のリソースセットが前記ＰＤＳＣＨまたは前記ＰＵＳＣＨの伝送によって使用されるリソースと重複されるときの全てのサブフレームまたは全てのスロット
のうちの１つであると決定される、請求項１に記載の方法。
【請求項１５】
前記ＰＤＣＣＨドメインまたは前記アップリンク制御チャネルリソース範囲は、以下のレベル、すなわち、サブフレームレベル、スロットレベル、ミニスロットレベル、およびＯＦＤＭシンボルレベルのうちの１つであることを可能にされ、
前記ＰＤＣＣＨドメインまたは前記アップリンク制御チャネルリソース範囲が前記サブフレームレベルであることの決定に応答して、前記ＰＤＣＣＨドメインまたは前記アップリンク制御チャネルリソース範囲は、サブフレームの第１のいくつかのＯＦＤＭシンボルであり、
前記ＰＤＣＣＨドメインまたは前記アップリンク制御チャネルリソース範囲が前記スロットレベルであることの決定に応答して、前記ＰＤＣＣＨドメインまたは前記アップリンク制御チャネルリソース範囲は、スロットの第１のいくつかのＯＦＤＭシンボルであり、
前記ＰＤＣＣＨドメインまたは前記アップリンク制御チャネルリソース範囲が前記ミニスロットレベルであることの決定に応答して、前記ＰＤＣＣＨドメインまたは前記アップリンク制御チャネルリソース範囲は、ミニスロットの第１のいくつかのＯＦＤＭシンボルまたはスロットの固定場所におけるいくつかのＯＦＤＭシンボルであり、
前記ＰＤＣＣＨドメインまたは前記アップリンク制御チャネルリソース範囲が前記ＯＦＤＭシンボルレベルであることの決定に応答して、前記ＰＤＣＣＨドメインまたは前記アップリンク制御チャネルリソース範囲は、事前に設定された固定場所におけるＯＦＤＭシンボルである、
請求項１４に記載の方法。
【請求項１６】
前記第２の通信ノードの前記盲目的検出の結果が、前記第２の通信ノードに送信されたＰＤＣＣＨが検出されたことであるとき、前記方法はさらに、
前記第２の通信ノードによって、レートマッチングを前記第２の通信ノードに送信された検出されたＰＤＣＣＨによって占有される時間周波数リソースの周囲において実施し、残りのリソースに関して、前記第２の通信ノードに送信されたＰＤＣＣＨによって占有される時間周波数リソースを除外することであって、前記多重化またはレートマッチング動的シグナリングインジケーションは、以下の瞬間、すなわち、前記盲目的検出瞬間、および前記第１のリソースセットが前記ＰＤＳＣＨ伝送によって使用されるリソースに重複するリソースに関して有効にされる、または前記多重化またはレートマッチング動的シグナリングインジケーションは、前記盲目的検出瞬間において、前記第１のリソースセットに関して無効である、こと
を含み、
前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることが禁止される、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がある、請求項１４に記載の方法。
【請求項１７】
前記第２の通信ノードの前記盲目的検出の結果が、前記第２の通信ノードに送信されたＰＤＣＣＨが検出されないことであるとき、前記方法はさらに、
前記多重化またはレートマッチング動的シグナリングインジケーションは、前記第１のリソースセットに関して前記盲目的検出瞬間において有効であること、または
前記多重化またはレートマッチング動的シグナリングインジケーションは、前記盲目的検出瞬間において前記第１のリソースセットに関して無効であること
を含み、
前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることを可能にされる、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がない、請求項１４に記載の方法。
【請求項１８】
前記第１の通信ノードによって、前記動的シグナリングインジケーションをアクティブ化または非アクティブ化するための動的インジケーションを前記第２の通信ノードに送信することをさらに含む、請求項１に記載の方法。
【請求項１９】
前記第１の通信ノードによって、前記第２の通信ノードに関する前記第１のリソースセットについての以下の情報、すなわち、前記第１のリソースセットがＰＤＳＣＨ伝送またはＰＵＳＣＨ伝送に対して多重化されるかどうか、または前記ＰＤＳＣＨ伝送または前記ＰＵＳＣＨ伝送がレートマッチングを実施する必要があるかどうかを示すための動的シグナリングインジケーションを決定することと、
前記第１の通信ノードによって、実行される前記第２の通信ノードに関する前記第１のリソースセットについての情報を決定後、前記第１の通信ノードによって、前記第２の通信ノードに、第１のリソースセットまたは第１のリソースセットのグループに関する１つ以上の動的シグナリングインジケーションを送信することと
をさらに含む、請求項１に記載の方法。
【請求項２０】
以下の様式、すなわち、半静的構成様式および動的決定様式のうちの１つを通して、前記動的シグナリングインジケーションに対応する第１のリソースセットを決定すること
をさらに含み、
前記動的シグナリングインジケーションは、異なる時間ユニット内の異なる第１のリソースセットに対応することを可能にされる、または異なる時間ユニット内の異なる数の第１のリソースセットに対応することを可能にされ、
前記時間ユニットはそれぞれ、スロット、ミニスロット、ＯＦＤＭシンボル、およびサブフレームのうちの１つを含む、請求項１に記載の方法。
【請求項２１】
前記動的シグナリングインジケーションのビットの一部または全部は、以下の意味、すなわち、
前記ビットの一部または全部は、隣接するビットまたは隣接するビットグループに対応する第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されること、
前記ビットの一部または全部は、具体的な第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されることであって、前記具体的な第１のリソースセットは、前記第２の通信ノードが盲目的検出を実施する必要がある第１のリソースセット、前記ＰＤＳＣＨ伝送をスケジューリングするためのＰＤＣＣＨが位置する第１のリソースセット、前記動的シグナリングインジケーションによって送信される第１のリソースセット、および前記第１の通信ノードによって半静的に構成される具体的な第１のリソースセットのうちの１つであることを可能にされること、
前記ビットの一部または全部は、他のビットまたはビットグループに対応する全ての第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの１つを示すために使用されること、
前記ビットの一部または全部は、以下の状況、すなわち、キャリアまたは帯域幅部分のアクティブ化、キャリアまたは帯域幅部分のアクティブ化解除、およびキャリアまたは帯域幅部分のハンドオーバのうちの少なくとも１つが、後続時間ユニットにおいて生じるかどうかを示すために使用されること、
前記ビットの一部または全部は、後続時間ユニットによって送信される動的シグナリングインジケーションの長さが変化するかどうかを示すために使用されること
のうちの少なくとも１つを示すことを可能にされる、請求項１に記載の方法。
【請求項２２】
前記分割は、
前記第１のリソースセットの以下のもの、すなわち、時間ドメイン、周波数ドメイン、および空間ドメインのうちの少なくとも１つが、等しく分割されることであって、ｎ個の等しい分割が、冗長ビットの数に従って実施されることが決定され、ｎは、正の整数であること、
前記等しい分割が実施された後、非冗長ビットおよび冗長ビットは、前記ＰＤＳＣＨ伝送または前記ＰＵＳＣＨ伝送に対して多重化されることが可能な前記第１のリソースセットの等しく分割された部分をともに示す、または前記ＰＤＳＣＨまたは前記ＰＵＳＣＨがレートマッチングを実施する必要がない等しく分割された部分をともに示し、前記冗長ビットは、前記ビットの一部または全部であること
を含む、請求項２１に記載の方法。
【請求項２３】
時間周波数リソースを決定するための方法であって、
第２の通信ノードによって、第１の通信ノードによって伝送される第１のリソースセットについての情報を受信することであって、前記情報は、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを含む、ことと、
前記情報に従って、以下の構成情報、すなわち、前記ＰＤＳＣＨ伝送または前記ＰＵＳＣＨ伝送に対して多重化されることを可能にされる時間周波数リソース、および前記ＰＤＳＣＨ伝送または前記ＰＵＳＣＨ伝送がレートマッチングを実施する必要がない時間周波数リソースのうちの１つを決定することであって、前記ＰＤＳＣＨ伝送は、データが、ＰＤＳＣＨを通して前記第２の通信ノードに伝送されるプロセスを含み、前記ＰＵＳＣＨ伝送は、前記第２の通信ノードがＰＵＳＣＨを通してデータを前記第１の通信ノードに伝送するプロセスを含む、ことと
を含む、方法。
【請求項２４】
前記第１のリソースセットは、以下の情報、すなわち、
１つ以上のリソースセットまたはアップリンク制御チャネルリソースまたはアップリンク予約リソース、または、完全または部分的リソースセットまたはアップリンク制御チャネルリソースまたはアップリンク予約リソース、
１つ以上の制御リソースセット（ＣＯＲＥＳＥＴ）またはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、基準信号リソース、同期信号リソース、およびブロードキャストチャネルリソースのうちの１つを含む、１つ以上の具体的信号リソースまたは具体的チャネルリソース
のうちの１つである、請求項２３に記載の方法。
【請求項２５】
前記第２のリソースセットは、以下の情報、すなわち、
１つ以上のＣＯＲＥＳＥＴまたはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、基準信号リソース、同期信号リソース、およびブロードキャストチャネルリソースのうちの１つを含む、１つ以上の具体的信号リソースまたは具体的チャネルリソース
のうちの１つを含む、請求項２３に記載の方法。
【請求項２６】
前記動的シグナリングインジケーションは、前記第１のリソースセットに関する多重化またはレートマッチング動的シグナリングインジケーションであり、前記第１のリソースセットに関する多重化またはレートマッチング動的シグナリングインジケーションの有効時間ドメイン範囲は、
前記第１のリソースセットが前記ＰＤＳＣＨまたは前記ＰＵＳＣＨの伝送によって使用されるリソースと重複されるときの第１の盲目的検出瞬間または第１の周期構成瞬間に対応する時間周波数リソース、
前記第１のリソースセットが前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットがＰＤＣＣＨドメインまたはアップリンク制御チャネルリソース範囲内の前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットが前記ＰＤＳＣＨまたは前記ＰＵＳＣＨの伝送によって使用されるリソースと重複されるときの前記第２の通信ノードによって時間周波数リソースに実施される盲目的検出の結果に従って決定された有効時間ドメイン範囲、
前記第１のリソースセットが前記ＰＤＳＣＨまたは前記ＰＵＳＣＨの伝送によって使用されるリソースと重複されるときの第１のサブフレームまたは第１のスロット、および
前記第１のリソースセットが前記ＰＤＳＣＨまたは前記ＰＵＳＣＨの伝送によって使用されるリソースと重複されるときの全てのサブフレームまたは全てのスロット
のうちの１つであると決定される、請求項２３に記載の方法。
【請求項２７】
前記第２の通信ノードは、前記盲目的検出を実施し、前記第２の通信ノードの前記盲目的検出の結果が、前記第２の通信ノードに送信されたＰＤＣＣＨが検出されたことであるとき、前記方法はさらに、
前記第２の通信ノードによって、レートマッチングを前記第２の通信ノードに送信された検出されたＰＤＣＣＨによって占有される時間周波数リソースの周囲において実施し、残りのリソースに関して、前記第２の通信ノードに送信されたＰＤＣＣＨによって占有される時間周波数リソースを除外すること、
前記第２の通信ノードによって、前記多重化またはレートマッチング動的シグナリングインジケーションは、以下の瞬間、すなわち、前記盲目的検出瞬間、および前記第１のリソースセットが前記ＰＤＳＣＨ伝送によって使用されるリソースに重複するリソースに関して有効であることを決定すること、または
前記第２の通信ノードによって、前記多重化またはレートマッチング動的シグナリングインジケーションが前記第１のリソースセットに関して前記盲目的検出瞬間において無効であることを決定することあって、前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることが禁止される、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がある、こと
を含む、請求項２６に記載の方法。
【請求項２８】
前記第２の通信ノードは、前記盲目的検出を実施し、前記第２の通信ノードの前記盲目的検出の結果が、前記第２の通信ノードに送信されたＰＤＣＣＨが検出されないことであるとき、前記方法はさらに、
前記多重化またはレートマッチング動的シグナリングインジケーションは、前記第１のリソースセットに関して前記盲目的検出瞬間において有効であること、または
前記多重化またはレートマッチング動的シグナリングインジケーションは、前記盲目的検出瞬間において、前記第１のリソースセットに関して無効であることであって、前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることを可能にされる、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がないこと
を含む、請求項２６に記載の方法。
【請求項２９】
前記時間ドメインリソースユニットまたは前記周波数ドメインリソースユニットは、以下、すなわち、システム事前構成、前記第１の通信ノードの半静的構成、および前記第１の通信ノードの動的構成のうちの１つを通して構成される、請求項７または８に記載の方法。
【請求項３０】
時間周波数リソースを決定するためのデバイスであって、
第１の決定モジュールであって、前記第１の決定モジュールは、第２の通信ノードに関する第１のリソースセットについての以下の情報、すなわち、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを決定するように構成される、第１の決定モジュールと、
前記情報を前記第２の通信ノードに伝送するように構成される伝送モジュールであって、前記ＰＤＳＣＨ伝送は、データが、ＰＤＳＣＨを通して前記第２の通信ノードに伝送されるプロセスを含み、前記ＰＵＳＣＨ伝送は、前記第２の通信ノードがＰＵＳＣＨを通してデータを前記第１の通信ノードに伝送するプロセスを含む、伝送モジュールと
を備える、デバイス。
【請求項３１】
時間周波数リソースを決定するためのデバイスであって、
第１の通信ノードによって伝送される第１のリソースセットについての情報を受信するように構成される受信モジュールであって、前記情報は、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを含む、受信モジュールと、
第２の決定モジュールであって、前記第２の決定モジュールは、前記情報に従って、以下の構成情報、すなわち、前記ＰＤＳＣＨ伝送に対して多重化されることを可能にされる時間周波数リソース、および前記ＰＤＳＣＨ伝送がレートマッチングを実施する必要がない時間周波数リソースのうちの１つを決定するように構成され、前記ＰＤＳＣＨ伝送は、ＰＤＳＣＨを通したデータ伝送のプロセスを含み、前記ＰＵＳＣＨ伝送は、ＰＵＳＣＨを通したデータ伝送のプロセスを含む、第２の決定モジュールと
を備える、デバイス。
【請求項３２】
基地局であって、
第１のプロセッサであって、前記第１のプロセッサは、第２の通信ノードに関する第１のリソースセットについての以下の情報、すなわち、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、および前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを決定するように構成される、第１のプロセッサと、
前記情報を前記第２の通信ノードに伝送するように構成される第１の通信デバイスであって、前記ＰＤＳＣＨ伝送は、データが、ＰＤＳＣＨを通して前記第２の通信ノードに伝送されるプロセスを含み、前記ＰＵＳＣＨ伝送は、データが、ＰＵＳＣＨを通して伝送されるプロセスを含む、第１の通信デバイスと
を備える、基地局。
【請求項３３】
端末であって、
第１の通信ノードによって伝送される第１のリソースセットについての情報を受信するように構成される第２の通信デバイスであって、前記情報は、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを含む、第２の通信デバイスと、
第２のプロセッサであって、前記第２のプロセッサは、前記情報に従って、以下の構成情報、すなわち、前記ＰＤＳＣＨ伝送に対して多重化されることを可能にされる時間周波数リソース、および前記ＰＤＳＣＨ伝送がレートマッチングを実施する必要がない時間周波数リソースのうちの１つを決定するように構成され、前記ＰＤＳＣＨ伝送は、ＰＤＳＣＨを通したデータ伝送のプロセスを含み、前記ＰＵＳＣＨ伝送は、ＰＵＳＣＨを通したデータ伝送のプロセスを含む、第２のプロセッサと
を備える、端末。
【請求項３４】
記憶されたプログラムを備える記憶媒体であって、実行されると、前記プログラムは、請求項１−２９のいずれか１項に記載の方法を実行する、記憶媒体。
【請求項３５】
プログラムを実行するように構成されるプロセッサであって、前記プログラムは、実行されると、請求項１−２９のいずれか１項に記載の方法を実行する、プロセッサ。
【発明の詳細な説明】
【技術分野】
【０００１】
本開示は、通信に関し、具体的には、時間周波数リソースを決定するための方法およびデバイスに関する。
【背景技術】
【０００２】
関連技術分野では、新規無線（ＮＲ）システムにおいて、現在、基地局は、いくつかのリソースセットを半静的に構成することができることが決定されている。これらのリソースセット内のリソースは、物理ダウンリンク共有チャネル（ＰＤＳＣＨ）伝送に対して動的に多重化されることができ、具体的には、ＰＤＳＣＨ伝送に対して多重化され得るリソースセットのリソースは、動的シグナリングを通して示される。
【０００３】
関連技術分野では、ロングタームエボリューション（ＬＴＥ）システムの物理ダウンリンク制御チャネル（ＰＤＳＣＨ）において、周波数ドメインは、完全帯域幅にマッピングされ、時間ドメイン内のＰＤＣＣＨによって占有される直交周波数分割多重化（ＯＦＤＭ）シンボルの数は、物理制御フォーマットインジケータチャネル（ＰＣＦＩＣＨ）を通して示される。したがって、ＰＤＣＣＨドメインは、周波数ドメイン完全帯域幅であって、時間ドメインは、サブフレームの正面のいくつかのＯＦＤＭシンボルの構造を占有し、ＰＤＣＣＨドメインの時間周波数リソースは、ＰＤＳＣＨドメインの時間周波数リソースから完全に分離され、ＰＤＣＣＨドメイン内のリソースは、ＰＤＳＣＨ伝送のために使用されることができない。
【０００４】
ＬＴＥ拡張ＰＤＣＣＨ（ｅＰＤＣＣＨ）では、ｅＰＤＣＣＨは、物理リソースブロック（ＰＲＢ）セット上で伝送される、すなわち、ｅＰＤＣＣＨおよびＰＤＳＣＨは、周波数分割多重化モードを採用する。ＰＲＢセット内のリソースは、ｅＰＤＣＣＨ伝送のために使用されず、依然として、ＰＤＳＣＨ伝送のために使用されることができ、ダウンリンク制御情報（ＤＣＩ）内の「リソースブロック割当」ドメインは、端末がＰＤＳＣＨ伝送に関する全てのリソースの配分を把握し得るように、リソースの本部分に関するインジケーションを含んでもよい。
【０００５】
ＮＲ  ＰＤＣＣＨに関して、３ＧＰＰ  ＲＡＮ１会議のいくつかの現在の議論に基づいて、設計は、制御リソースセット（略して、ＣＯＲＥＳＥＴと称される）に基づいて実施されるであろう。ＬＴＥ  ＰＤＣＣＨにおける完全帯域幅分布の特性と異なり、ＮＲにおけるダウンリンク制御チャネルの分布は、システムによって構成されるＣＯＲＥＳＥＴによって限定され、ＣＯＲＥＳＥＴは、半静的に構成される一方、ユーザスケジューリング自体は、動的に変更され、したがって、アイドルリソースが、ＣＯＲＥＳＥＴ内に留まっているとき、リソースの無駄を回避するために、これらのリソースは、ＰＤＳＣＨ伝送のために使用されることができる。したがって、多重化されたＣＯＲＥＳＥＴリソースをユーザに示し、ユーザにＰＤＳＣＨサービスがこれらの制御リソース上に存在すること把握させる方法が、解決されるべき問題となる。
【０００６】
さらに、３ＧＰＰ  ＲＡＮ１は、基地局が、いくつかのリソースセットを半静的に構成し、リソースセット内のリソースがスケジューリングされたＰＤＳＣＨ伝送に対して多重化され得るかどうか、またはスケジューリングされたＰＤＳＣＨ伝送がリソースセットのリソースの一部においてレートマッチングを実施する必要があるかどうかを動的に示すことを承認している。
【０００７】
効率的ソリューションは、ＰＤＳＣＨ伝送によって使用される時間周波数リソースを示す方法の関連技術分野における問題を解決するために提供されていない。
【発明の概要】
【課題を解決するための手段】
【０００８】
本開示の実施形態は、時間周波数リソースを決定し、少なくとも、ＰＤＳＣＨ伝送によって使用される時間周波数リソースを示す方法の関連技術分野における問題を解決するための方法およびデバイスを提供する。
【０００９】
本開示のある実施形態によると、時間周波数リソースを決定するための方法が、提供される。本方法は、第１の通信ノードによって、第２の通信ノードに関する第１のリソースセットについての以下の情報、すなわち、第１のリソースセット内に含有される第２のリソースセットの時間周波数リソース、第１のリソースセット内に含有される第２のリソースセットの構成情報、第１のリソースセットの時間周波数リソース構成情報、および第１のリソースセットがＰＤＳＣＨ伝送またはＰＵＳＣＨ伝送に対して多重化されるかどうかまたはＰＤＳＣＨ伝送またはＰＵＳＣＨ伝送がレートマッチングを実装する必要があるかどうかを示すために使用される動的シグナリングインジケーションのうちの少なくとも１つを決定するステップと、情報を第２の通信ノードに伝送するステップであって、ＰＤＳＣＨ伝送は、第１の通信ノードが、ＰＤＳＣＨを通して、データを第２の通信ノードに伝送する、プロセスを含み、ＰＵＳＣＨ伝送は、第２の通信ノードが、ＰＵＳＣＨを通して、データを第１の通信ノードに伝送する、プロセスを含む、ステップとを含む。
【００１０】
随意に、第１のリソースセットは、以下の情報、すなわち、１つ以上のリソースセットまたはアップリンク制御チャネルリソースまたはアップリンク予約リソース、または完全または部分的リソースセットまたはアップリンク制御チャネルリソースまたはアップリンク予約リソース、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースであって、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、具体的信号リソースまたは具体的チャネルリソースのうちの１つである。
【００１１】
随意に、第２のリソースセットは、以下の情報、すなわち、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースであって、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、具体的信号リソースまたは具体的チャネルリソースのうちの１つを含む。
【００１２】
随意に、第１の通信ノードは、第２の通信ノードに関する１つ以上の第１のリソースセットを構成し、複数の構成される第１のリソースセットの時間周波数リソースは、部分的に重複することが禁止される、または完全に重複することが禁止される。
【００１３】
随意に、第１の通信ノードが、第２の通信ノードに関する複数の第１のリソースセットを構成するとき、第１の通信ノードは、複数の第１のリソースセットの一部または全部に関する優先順位を構成する。
【００１４】
随意に、複数の第１のリソースセットの時間周波数リソースが、重複するとき、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかが、以下の様式を通して決定される、すなわち、決定は、より高い優先順位を有する第１のリソースセットの動的シグナリングインジケーションに従って行われる。
【００１５】
随意に、第２の通信ノードに関する第１のリソースセットは、以下、すなわち、時間ドメインリソースユニット内の時間ドメインリソースの一部が、第１のリソースセットとして構成されること、周波数ドメインリソースユニット内の周波数ドメインリソースの一部が、第１のリソースセットとして構成されることのうちの１つを含む。
【００１６】
随意に、第２の通信ノードに関する第１のリソースセットは、以下、すなわち、時間ドメインでは、周期的に構成される時間ドメインリソースユニットの時間ドメインリソースの一部は、第１のリソースセットとして構成されること、時間ドメインリソースユニットは、偏移されること、周波数ドメインでは、指定されるサブキャリア範囲内の周波数ドメインリソースユニット内の周波数ドメインリソースの一部は、第１のリソースセットとして構成されること、周波数ドメインでは、指定される帯域幅範囲内の周波数ドメインリソースユニット内の周波数ドメインリソースの一部が、第１のリソースセットとして構成されることのうちの少なくとも１つを含む。
【００１７】
随意に、重複が、複数の第１のリソースセットの時間周波数リソース内で生じると、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかが、以下の様式を通して決定される、すなわち、ＡＮＤ演算またはＯＲ演算が、全ての複数の重複する第１のリソースセットの動的シグナリングインジケーションに実施され、決定が、ＡＮＤ演算またはＯＲ演算の結果に従って行われる。
【００１８】
随意に、情報は、以下の通り合意される、すなわち、１に設定される動的シグナリングインジケーションは、対応する第１のリソースセットの全部または一部がＰＤＳＣＨ伝送またはＰＵＳＣＨ伝送に対して多重化されることを可能にされる、またはＰＤＳＣＨ伝送またはＰＵＳＣＨ伝送が対応する第１のリソースセット内のリソースの全部または一部の周囲でレートマッチングを実施する必要がないことを示すと合意され、０に設定される動的シグナリングインジケーションは、対応する第１のリソースセットの全部または一部がＰＤＳＣＨ伝送またはＰＵＳＣＨ伝送に対して多重化されることを禁止される、またはＰＤＳＣＨ伝送またはＰＵＳＣＨ伝送が対応する第１のリソースセット内のリソースの全部または一部の周囲でレートマッチングを実施する必要があることを示すと合意され、ＡＮＤ演算またはＯＲ演算が、全ての複数の重複する第１のリソースセットの動的シグナリングインジケーションに実施され、決定が、ＡＮＤ演算またはＯＲ演算の結果に従って行われる、ステップは、ＯＲ演算を複数の重複する第１のリソースセットの動的シグナリングインジケーションに実施するステップと、ＯＲ演算の結果に従って、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかを決定するステップとを含む。
【００１９】
随意に、１に設定される動的シグナリングインジケーションが、対応する第１のリソースセットの全部または一部がＰＤＳＣＨ伝送またはＰＵＳＣＨ伝送に対して多重化されることを禁止されること、またはＰＤＳＣＨ伝送またはＰＵＳＣＨ伝送が対応する第１のリソースセット内の時間周波数リソースの全部または一部の周囲でレートマッチングを実施する必要があることを示すと合意され、０に設定される動的シグナリングインジケーションが、対応する第１のリソースセットの全部または一部がＰＤＳＣＨ伝送またはＰＵＳＣＨ伝送に対して多重化されることを可能にされること、またはＰＤＳＣＨ伝送またはＰＵＳＣＨ伝送が対応する第１のリソースセット内の時間周波数リソースの全部または一部の周囲でレートマッチングを実施する必要がないことを示すと合意される、条件下では、本方法はさらに、ＡＮＤ演算を複数の重複する第１のリソースセットの動的シグナリングインジケーションに実施するステップと、ＡＮＤ演算の結果に従って、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかを決定するステップとを含む。
【００２０】
随意に、重複が、複数の第１のリソースセットの時間周波数リソース内で生じると、以下の情報、すなわち、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかについての情報が、第１のリソースセットの異なるタイプに関して異なる様式を通して決定され、第１のリソースセットの異なるタイプは、以下、すなわち、異なる時間周波数リソース構成様式、異なる時間周波数リソース構成範囲、異なる時間周波数リソース構成粒度、および異なる時間周波数リソース構成優先順位のうちの１つを含む。
【００２１】
随意に、第１のリソースセットが、複数の第２のリソースセットを含有する、または複数の第２のリソースセットの均等物であるとき、同一の第１のリソースセット内に含まれる複数の第２のリソースセットは、以下の特性、すなわち、複数の第２のリソースセット内の第２の通信ノードの盲目的検出瞬間構成または盲目的検出周期構成が、同一であること、複数の第２のリソースセットの盲目的検出瞬間構成または盲目的検出周期構成のレベルが、同一であって、スロットレベルであって、スロットレベルである、複数の第２のリソースセットの盲目的検出瞬間構成または盲目的検出周期構成のレベルは、以下、すなわち、盲目的検出瞬間構成のそれぞれまたは周期構成のそれぞれは、スロットであること、盲目的検出瞬間構成のそれぞれまたは周期構成のそれぞれは、複数のスロットのインターバルにあることのうちの１つを示すように構成されること、複数の第２のリソースセットの盲目的検出瞬間構成または盲目的検出周期構成のレベルが、同一であって、ミニスロットレベルであって、ミニスロットレベルである、複数の第２のリソースセットの盲目的検出瞬間構成または盲目的検出周期構成のレベルは、以下、すなわち、盲目的検出瞬間構成のそれぞれまたは周期構成のそれぞれは、ミニスロットであること、盲目的検出瞬間構成のそれぞれまたは周期構成のそれぞれは、複数のミニスロットのインターバルにあることのうちの１つを示すように構成されること、複数の第２のリソースセットの盲目的検出瞬間構成または盲目的検出周期構成のレベルが、同一であって、ＯＦＤＭシンボルレベルであって、ＯＦＤＭシンボルレベルである、複数の第２のリソースセットの盲目的検出瞬間構成または盲目的検出周期構成のレベルは、以下、すなわち、盲目的検出瞬間構成のそれぞれまたは周期構成のそれぞれは、ＯＦＤＭシンボルであること、盲目的検出瞬間構成のそれぞれまたは周期構成のそれぞれは、複数のＯＦＤＭシンボルのインターバルにあることのうちの１つを示すように構成されること、複数の第２のリソースセットの盲目的検出瞬間構成または盲目的検出周期構成は、含有関係を満たす必要があって、含有関係は、疎らな回数の盲目的検出または疎らな周期の構成を有する第２のリソースセット、および集約的回数の盲目的検出または集約的周期構成を有する第２のリソースセットに関して、前者の盲目的検出瞬間または周期構成は、後者の盲目的検出瞬間または周期構成のサブセットであること、固定時間ユニット内の複数の第２のリソースセットの盲目的検出瞬間構成または盲目的検出周期構成の発生回数は、同一であって、固定時間ユニットは、以下、すなわち、無線フレーム、サブフレーム、スロット、スロットのＰＤＣＣＨドメインまたはアップリンク制御チャネル範囲、およびスロットの固定場所におけるいくつかのＯＦＤＭシンボルの固定数のうちの１つを含むことのうちの少なくとも１つを満たす必要がある。
【００２２】
随意に、動的シグナリングインジケーションは、第１のリソースセットに関する多重化またはレートマッチング動的シグナリングインジケーションであって、第１のリソースセットに関する多重化またはレートマッチング動的シグナリングインジケーションの有効時間ドメイン範囲は、以下、すなわち、第１のリソースセットがＰＤＳＣＨまたはＰＵＳＣＨの伝送によって使用されるリソースと重複されるときの、第１の盲目的検出瞬間または第１の周期構成瞬間に対応する、時間周波数リソース、第１のリソースセットがＰＤＳＣＨまたはＰＵＳＣＨの伝送によって使用されるリソースと重複されるときの、全ての盲目的検出瞬間または全ての周期構成瞬間に対応する、時間周波数リソース、第１のリソースセットがＰＤＣＣＨドメインまたはアップリンク制御チャネルリソース範囲内のＰＤＳＣＨまたはＰＵＳＣＨの伝送によって使用されるリソースと重複されるときの、全ての盲目的検出瞬間または全ての周期構成瞬間に対応する、時間周波数リソース、第１のリソースセットがＰＤＳＣＨまたはＰＵＳＣＨの伝送によって使用されるリソースと重複されるときの、第２の通信ノードによって時間周波数リソースに実施される盲目的検出の結果に従って決定された有効時間ドメイン範囲、第１のリソースセットがＰＤＳＣＨまたはＰＵＳＣＨの伝送によって使用されるリソースと重複されるときの、第１のサブフレームまたは第１のスロット、および第１のリソースセットがＰＤＳＣＨまたはＰＵＳＣＨの伝送によって使用されるリソースと重複されるときの、全てのサブフレームまたは全てのスロットのうちの１つであると決定される。
【００２３】
随意に、ＰＤＣＣＨドメインは、以下のレベル、すなわち、サブフレームレベル、スロットレベル、ミニスロットレベル、およびＯＦＤＭシンボルレベルのうちの１つであることを可能にされ、ＰＤＣＣＨドメインがサブフレームレベルであることの決定に応答して、ＰＤＣＣＨドメインまたはアップリンク制御チャネルリソース範囲は、サブフレームの第１のいくつかのＯＦＤＭシンボルであって、ＰＤＣＣＨドメインがスロットレベルであることの決定に応答して、ＰＤＣＣＨドメインまたはアップリンク制御チャネルリソース範囲は、スロットの第１のいくつかのＯＦＤＭシンボルであって、ＰＤＣＣＨドメインがミニスロットレベルであることの決定に応答して、ＰＤＣＣＨドメインまたはアップリンク制御チャネルリソース範囲は、ミニスロットの第１のいくつかのＯＦＤＭシンボルまたはスロットの固定場所におけるいくつかのＯＦＤＭシンボルであって、ＰＤＣＣＨドメインがＯＦＤＭシンボルレベルであることの決定に応答して、ＰＤＣＣＨドメインまたはアップリンク制御チャネルリソース範囲は、事前に設定された固定場所におけるＯＦＤＭシンボルである。
【００２４】
随意に、第２の通信ノードの盲目的検出の結果が、第２の通信ノードに送信されたＰＤＣＣＨが検出されたことであるとき、本方法はさらに、第２の通信ノードによって、レートマッチングを第２の通信ノードに送信された検出されたＰＤＣＣＨによって占有される時間周波数リソースの周囲において実施するステップを含み、第２の通信ノードに送信されたＰＤＣＣＨによって占有される時間周波数リソース以外の残りのリソースに関して、多重化またはレートマッチング動的シグナリングインジケーションは、以下の瞬間、すなわち、盲目的検出瞬間、および第１のリソースセットがＰＤＳＣＨ伝送によって使用されるリソースに重複するリソースに関して有効にされる、または多重化またはレートマッチング動的シグナリングインジケーションが、盲目的検出瞬間において、第１のリソースセットに関して無効であること、盲目的検出瞬間において、第１のリソースセットがＰＤＳＣＨ伝送によって使用されるリソースに重複する時間周波数リソースの全部または一部は、ＰＤＳＣＨ伝送に対して多重化されることが禁止される、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がある。
【００２５】
随意に、第２の通信ノードの盲目的検出の結果が、第２の通信ノードに送信されたＰＤＣＣＨが検出されないとき、本方法はさらに、多重化またはレートマッチング動的シグナリングインジケーションが、盲目的検出瞬間において、第１のリソースセットに関して有効にされること、または多重化またはレートマッチング動的シグナリングインジケーションが、盲目的検出瞬間において、第１のリソースセットに関して無効であることを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることを可能にされる、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がない。
【００２６】
随意に、第１の通信ノードは、動的シグナリングインジケーションをアクティブ化または非アクティブ化するための動的インジケーションを第２の通信ノードに送信する。
【００２７】
随意に、第１の通信ノードは、以下の第２の通信ノードに関する第１のリソースセットについての情報、すなわち、第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すための動的シグナリングインジケーションを決定し、上記のステップが実行された後、第１の通信ノードは、第２の通信ノードに、第１のリソースセットまたは第１のリソースセットのグループに関する１つ以上の動的シグナリングインジケーションを送信する。
【００２８】
随意に、動的シグナリングインジケーションに対応する第１のリソースセットは、以下の様式、すなわち、半静的構成様式および動的決定様式のうちの１つにおいて決定され、動的シグナリングインジケーションは、異なる時間ユニット内の異なる第１のリソースセットに対応することを可能にされる、または異なる時間ユニット内の異なる数の第１のリソースセットに対応することを可能にされ、時間ユニットは、以下、すなわち、スロット、ミニスロット、ＯＦＤＭシンボル、およびサブフレームのうちの１つを含む。
【００２９】
随意に、動的シグナリングインジケーションのビットの一部または全部は、以下の意味、すなわち、ビットの一部または全部は、隣接するビットまたは隣接するビットグループに対応する第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されること、ビットの一部または全部は、具体的な第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されることであって、具体的な第１のリソースセットは、以下、すなわち、第２の通信ノードが盲目的検出を実施する必要がある第１のリソースセット、ＰＤＳＣＨ伝送またはＰＵＳＣＨ伝送をスケジューリングするためのＰＤＣＣＨが位置する第１のリソースセット、動的シグナリングインジケーションによって送信される第１のリソースセット、および第１の通信ノードによって半静的に構成される具体的な第１のリソースセットのうちの１つであることを可能にされること、ビットの一部または全部は、他のビットまたはビットグループに対応する全ての第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの１つを示すために使用されること、ビットの一部または全部は、以下の条件、すなわち、キャリアまたは帯域幅部分のアクティブ化、キャリアまたは帯域幅部分のアクティブ化解除、およびキャリアまたは帯域幅部分のハンドオーバのうちの少なくとも１つが後続時間ユニット内で生じるかどうかを示すために使用されること、ビットの一部または全部は、後続時間ユニットによって送信される動的シグナリングインジケーションの長さが変化するかどうかを示すために使用されることのうちの少なくとも１つを示すことを可能にされる。
【００３０】
随意に、分割は、第１のリソースセットの以下のもの、すなわち、時間ドメイン、周波数ドメイン、および空間ドメインのうちの少なくとも１つが、等しく分割されることを含み、ｎ個の等しい分割は、冗長ビットの数に従って実施されることが決定され、ｎは、正の整数であって、等しい分割が実施された後、非冗長ビットおよび冗長ビットは、ＰＤＳＣＨ伝送またはＰＵＳＣＨ伝送に対して多重化されることが可能な第１のリソースセットの等しく分割された部分、またはＰＤＳＣＨまたはＰＵＳＣＨがレートマッチングを実施する必要がない等しく分割された部分をともに示し、冗長ビットは、ビットの一部または全部である。
【００３１】
本開示の別の実施形態によると、別の時間周波数リソースを決定するための方法がさらに、提供される。本方法は、第２の通信ノードによって、第１の通信ノードによって伝送される第１のリソースセットについての情報を受信するステップであって、情報は、以下、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを含む、ステップと、情報に従って、以下の構成情報、すなわち、ＰＤＳＣＨ伝送またはＰＵＳＣＨ伝送に対して多重化されることを可能にされる時間周波数リソース、およびＰＤＳＣＨ伝送またはＰＵＳＣＨ伝送がレートマッチングを実施する必要がない時間周波数リソースのうちの１つを決定するステップであって、ＰＤＳＣＨ伝送は、ＰＤＳＣＨを通したデータ伝送のプロセスを含み、ＰＵＳＣＨ伝送は、ＰＵＳＣＨを通したデータ伝送のプロセスを含む、ステップとを含む。
【００３２】
随意に、第１のリソースセットは、以下の情報、すなわち、１つ以上のリソースセットまたはアップリンク制御チャネルリソースまたはアップリンク予約リソース、または完全または部分的リソースセットまたはアップリンク制御チャネルリソースまたはアップリンク予約リソース、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースのうちの１つであって、具体的信号リソースまたは具体的チャネルリソースは、以下、すなわち、基準信号リソース、同期信号リソース、およびブロードキャストチャネルリソースのうちの１つを含む。
【００３３】
随意に、第２のリソースセットは、以下の情報、すなわち、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースであって、以下、すなわち、基準信号リソース、同期信号リソース、およびブロードキャストチャネルリソースのうちの１つを含む、具体的信号リソースまたは具体的チャネルリソースのうちの１つを含む。
【００３４】
随意に、動的シグナリングインジケーションは、第１のリソースセットに関する多重化またはレートマッチング動的シグナリングインジケーションであって、第１のリソースセットに関する多重化またはレートマッチング動的シグナリングインジケーションの有効時間ドメイン範囲は、以下、すなわち、第１のリソースセットがＰＤＳＣＨまたはＰＵＳＣＨの伝送によって使用されるリソースと重複されるときの、第１の盲目的検出瞬間または第１の周期構成瞬間に対応する、時間周波数リソース、第１のリソースセットがＰＤＳＣＨまたはＰＵＳＣＨの伝送によって使用されるリソースと重複されるときの、全ての盲目的検出瞬間または全ての周期構成瞬間に対応する、時間周波数リソース、第１のリソースセットがＰＤＣＣＨドメインまたはアップリンク制御チャネルリソース範囲内のＰＤＳＣＨまたはＰＵＳＣＨの伝送によって使用されるリソースと重複されるときの、全ての盲目的検出瞬間または全ての周期構成瞬間に対応する、時間周波数リソース、
【００３５】
第１のリソースセットがＰＤＳＣＨまたはＰＵＳＣＨの伝送によって使用されるリソースと重複されるときの、第２の通信ノードによって時間周波数リソースに実施される盲目的検出の結果に従って決定された有効時間ドメイン範囲、第１のリソースセットがＰＤＳＣＨまたはＰＵＳＣＨの伝送によって使用されるリソースと重複されるときの、第１のサブフレームまたは第１のスロット、および第１のリソースセットがＰＤＳＣＨまたはＰＵＳＣＨの伝送によって使用されるリソースと重複されるときの、全てのサブフレームまたは全てのスロットのうちの１つであると決定される。
【００３６】
随意に、第２の通信ノードは、盲目的検出を実施し、第２の通信ノードの盲目的検出の結果が、第２の通信ノードに送信されたＰＤＣＣＨが検出されたことであるとき、本方法はさらに、第２の通信ノードによって、レートマッチングを第２の通信ノードに送信された検出されたＰＤＣＣＨによって占有される時間周波数リソースの周囲において実施するステップと、第２の通信ノードに送信されたＰＤＣＣＨによって占有される時間周波数リソース以外の残りのリソースに関して、第２の通信ノードによって、多重化またはレートマッチング動的シグナリングインジケーションが、以下の瞬間、すなわち、盲目的検出瞬間、および第１のリソースセットがＰＤＳＣＨ伝送によって使用されるリソースに重複するリソースに関して有効であることを決定するステップ、または第２の通信ノードによって、多重化またはレートマッチング動的シグナリングインジケーションが第１のリソースセットに関して盲目的検出瞬間において、無効であることを決定するステップであって、盲目的検出瞬間において、第１のリソースセットがＰＤＳＣＨ伝送によって使用されるリソースに重複する時間周波数リソースの全部または一部は、ＰＤＳＣＨ伝送に対して多重化されることが禁止される、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がある、ステップとを含む。
【００３７】
随意に、第２の通信ノードは、盲目的検出を実施し、第２の通信ノードの盲目的検出の結果が、第２の通信ノードに送信されたＰＤＣＣＨが検出されないとき、本方法はさらに、多重化またはレートマッチング動的シグナリングインジケーションが、盲目的検出瞬間において、第１のリソースセットに関して有効にされること、または多重化またはレートマッチング動的シグナリングインジケーションが、盲目的検出瞬間において、第１のリソースセットに関して無効であることを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることを可能にされる、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がない。
【００３８】
本開示の別の実施形態によると、時間周波数リソースを決定するためのデバイスがさらに、提供される。本デバイスは、第２の通信ノードに関する第１のリソースセットについての以下の情報、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定するように構成される、第１の決定モジュールと、情報を第２の通信ノードに伝送するように構成される、伝送モジュールであって、ＰＤＳＣＨ伝送は、ＰＤＳＣＨを通したデータ伝送のプロセスを含み、ＰＵＳＣＨ伝送は、ＰＵＳＣＨを通したデータ伝送のプロセスを含む、伝送モジュールとを含む。
【００３９】
本開示の別の実施形態によると、時間周波数リソースを決定するためのデバイスがさらに、提供される。本デバイスは、第１の通信ノードによって伝送される第１のリソースセットについての情報を受信するように構成される、受信モジュールであって、情報は、以下、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを含む、受信モジュールと、情報に従って、以下の構成情報、すなわち、ＰＤＳＣＨ伝送に対して多重化されることを可能にされる時間周波数リソース、およびＰＤＳＣＨ伝送がレートマッチングを実施する必要がない時間周波数リソースのうちの１つを決定するように構成される、第２の決定モジュールであって、ＰＤＳＣＨ伝送は、その中にデータがＰＤＳＣＨを通して伝送される、プロセスを含み、ＰＵＳＣＨ伝送は、データがＰＵＳＣＨを通して第１の通信ノードに伝送される、プロセスを含む、第２の決定モジュールとを含む。
【００４０】
本開示の別の実施形態によると、基地局がさらに、提供される。基地局は、第２の通信ノードに関する第１のリソースセットについての以下の情報、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定するように構成される、第１のプロセッサと、情報を第２の通信ノードに伝送するように構成される、第１の通信デバイスであって、ＰＤＳＣＨ伝送は、データが、ＰＤＳＣＨを通して第２の通信ノードに伝送される、プロセスを含み、ＰＵＳＣＨ伝送は、第２の通信ノードが、ＰＵＳＣＨを通して、データを第１の通信ノードに伝送する、プロセスを含む、第１の通信デバイスとを含む。
【００４１】
本開示の別の実施形態によると、端末がさらに、提供される。端末は、第１の通信ノードによって伝送される第１のリソースセットについての情報を受信するように構成される、第２の通信デバイスであって、情報は、以下、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを含む、第２の通信デバイスと、情報に従って、以下の構成情報、すなわち、ＰＤＳＣＨ伝送に対して多重化されることを可能にされる時間周波数リソース、およびＰＤＳＣＨ伝送がレートマッチングを実施する必要がない時間周波数リソースのうちの１つを決定するように構成される、第２のプロセッサであって、ＰＤＳＣＨ伝送は、ＰＤＳＣＨを通したデータ伝送のプロセスを含み、ＰＵＳＣＨ伝送は、ＰＵＳＣＨを通したデータ伝送のプロセスを含む、第２のプロセッサとを含む。
【００４２】
本開示の別の実施形態によると、記憶媒体がさらに、提供される。記憶媒体は、実行されると、上記に説明される実施形態のいずれか１つに記載の方法を実施する、記憶されたプログラムを含む。
【００４３】
本開示の別の実施形態によると、プロセッサがさらに、提供される。プロセッサは、実行されると、上記に説明される実施形態のいずれか１つに記載の方法を実施する、プログラムを実行するように構成される。
【００４４】
本開示を通して、第１の決定モジュールは、第２の通信ノードに関する第１のリソースセットについての以下の情報、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定し、情報が決定された後、情報は、第２の通信ノードに伝送され、第２の通信ノードは、情報に従って、ＰＤＳＣＨ伝送またはＰＵＳＣＨ伝送の間に使用される時間周波数リソースを決定する。上記の技術的ソリューションは、ＰＤＳＣＨ伝送またはＰＵＳＣＨ伝送の間に使用される時間周波数リソースをユーザに示し、ＰＤＳＣＨ伝送またはＰＵＳＣＨ伝送の間に使用される時間周波数リソースのインジケーションを実装する方法の関連技術分野における問題を解決する。
【図面の簡単な説明】
【００４５】
本明細書に説明される図面は、本開示のさらなる理解を提供するために使用され、本願の一部を形成する。本開示における例示的実施形態およびその説明は、本開示を説明するために使用され、本開示を限定するものではない。
【００４６】
【図１】図１は、本開示のある実施形態による、時間周波数リソースを決定するための方法のフローチャートである。
【００４７】
【図２】図２は、例示的実施形態による、部分的重複または完全重複の概略図である。
【００４８】
【図３】図３は、本開示の例示的実施形態による、動的インジケーション様式の概略図である。
【００４９】
【図４】図４は、実施形態４による、概略図である。
【００５０】
【図５】図５は、実施形態６による、概略図である。
【００５１】
【図６】図６は、実施形態９による、概略図である。
【００５２】
【図７】図７は、実施形態１２による、概略図である。
【００５３】
【図８】図８は、実施形態１３による、概略図１である。
【００５４】
【図９】図９は、実施形態１４による、概略図１である。
【００５５】
【図１０】図１０は、実施形態１４による、概略図２である。
【００５６】
【図１１】図１１は、実施形態１７による、第１のリソースセットを構成するための別の方法のフローチャートである。
【発明を実施するための形態】
【００５７】
本願の実施形態は、モバイル通信ネットワーク（限定ではないが、第５世代（５Ｇ）モバイル通信ネットワークを含む）を提供する。本ネットワークのネットワークアーキテクチャは、ネットワーク側デバイス（基地局等）と、端末とを含んでもよい。上記のネットワークアーキテクチャ上で実行可能な情報伝送方法が、実施形態に提供される。本願の実施形態によって提供される上記の情報伝送方法の実行環境は、上記のネットワークアーキテクチャに限定されないことに留意されたい。
【００５８】
本願では、第１の通信ノードは、基地局側デバイスであってもよく、第２の通信ノードは、端末側デバイスであってもよい。
【００５９】
実施形態１
【００６０】
時間周波数リソースを決定するための方法が、実施形態に提供され、これは、上記のモバイル端末ネットワークアーキテクチャ上で実行される。図１は、本開示のある実施形態による、時間周波数リソースを決定するための方法のフローチャートである。図１に示されるように、本方法は、下記に説明されるステップを含む。
【００６１】
ステップＳ１０２では、第１の通信ノードは、第２の通信ノードに関する第１のリソースセットについての以下の情報、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定する。
【００６２】
ステップＳ１０４では、情報は、第２の通信ノードに伝送され、ＰＤＳＣＨ伝送は、第１の通信ノードが、ＰＤＳＣＨを通して、データを第２の通信ノードに伝送する、プロセスを含み、ＰＵＳＣＨ伝送は、第２の通信ノードが、ＰＵＳＣＨを通して、データを第１の通信ノードに伝送する、プロセスを含む。
【００６３】
上記のステップを通して、第１の通信ノードは、第２の通信ノードに関する第１のリソースセットについての情報を決定し、情報は、上記の情報が決定された後、第２の通信ノードに伝送され、第２の通信ノードは、情報に従って、ＰＤＳＣＨ伝送の間に使用される時間周波数リソースを決定する。上記の技術的ソリューションは、ＰＤＳＣＨ伝送の間に使用される時間周波数リソースをユーザに示し、ＰＤＳＣＨ伝送の間に使用される時間周波数リソースのインジケーションを実装する方法の関連技術分野における問題を解決する。
【００６４】
随意に、上記のステップは、基地局によって実行されてもよいが、必ずしも、そうとは限らない。
【００６５】
随意に、第１のリソースセットは、以下の情報、すなわち、１つ以上のリソースセットまたはアップリンク制御チャネルリソースまたはアップリンク予約リソース、または完全または部分的リソースセットまたはアップリンク制御チャネルリソースまたはアップリンク予約リソース、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースであって、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、具体的信号リソースまたは具体的チャネルリソースのうちの１つである。
【００６６】
随意に、第２のリソースセットは、以下の情報、すなわち、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースであって、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、具体的信号リソースまたは具体的チャネルリソースのうちの１つを含む。
【００６７】
随意に、第１の通信ノードは、第２の通信ノードに関する１つ以上の第１のリソースセットを構成し、複数の構成される第１のリソースセットの時間周波数リソースは、部分的に重複することが禁止される、または完全に重複することが禁止される。
【００６８】
随意に、第１の通信ノードが、第２の通信ノードに関する複数の第１のリソースセットを構成するとき、第１の通信ノードは、複数の第１のリソースセットの一部または全部に関する優先順位を構成する。
【００６９】
随意に、複数の第１のリソースセットの時間周波数リソースが、重複するとき、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかが、以下の様式を通して決定される、すなわち、決定は、より高い優先順位を有する第１のリソースセットの動的シグナリングインジケーションに従って行われる。
【００７０】
随意に、第２の通信ノードに関する第１のリソースセットは、以下、すなわち、時間ドメインリソースユニット内の時間ドメインリソースの一部が、第１のリソースセットとして構成されること、周波数ドメインリソースユニット内の周波数ドメインリソースの一部が、第１のリソースセットとして構成されることのうちの１つを含む。時間ドメインリソースユニットは、本随意の実施形態では、スロット、サブフレーム、または同等物であってもよく、時間ドメインリソースの一部が、あるスロット内のある数のＯＦＤＭシンボルであってもよいことを付け加えられたい。周波数ドメインリソースユニットは、決定されたサイズを伴う帯域幅であってもよい。例えば、周波数ドメインリソースユニットは、Ｎメガヘルツ、すなわち、Ｍ個のＰＲＢまたはＹ個のリソースブロックグループ（ＲＢＧ）であってもよく、Ｎ、Ｍ、およびＹは、正の整数である。
【００７１】
時間ドメインリソースユニットおよび周波数ドメインリソースユニットは、様式、すなわち、システム事前構成、第１の通信ノード（基地局であってもよい）の半静的構成、および第１の通信ノード（基地局であってもよい）の動的構成のうちの１つにおいて構成されてもよい。
【００７２】
随意に、第２の通信ノードに関する第１のリソースセットは、以下、すなわち、時間ドメインでは、周期的に構成される時間ドメインリソースユニットの時間ドメインリソースの一部は、第１のリソースセットとして構成されること、時間ドメインリソースユニットは、偏移されること、周波数ドメインでは、指定されるサブキャリア範囲内の周波数ドメインリソースユニット内の周波数ドメインリソースの一部は、第１のリソースセットとして構成されること、周波数ドメインでは、指定される帯域幅範囲内の周波数ドメインリソースユニット内の周波数ドメインリソースの一部が、第１のリソースセットとして構成されることのうちの少なくとも１つを含む。本随意の実施形態は、第１のリソースセットが、周期的に構成されてもよい、すなわち、固定時間ドメインリソースが、１つのスロットまたはスロットのグループであると仮定される、すなわち、各スロットまたはスロットのグループ内のある数のＯＦＤＭシンボルが、第１のリソースセットを形成するように選択されることを示すことを付け加えられたい。同様に、周波数ドメインでは、あるサブキャリア範囲内のある数の周波数ドメインリソースユニットはまた、第１のリソースセットを形成するように周期的に構成されてもよい。実施形態１７を参照されたい。
【００７３】
随意に、重複が、複数の第１のリソースセットの時間周波数リソース内で生じると、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかが、以下の様式を通して決定される、すなわち、ＡＮＤ演算またはＯＲ演算は、全ての複数の重複する第１のリソースセットの動的シグナリングインジケーションに実施され、決定が、ＡＮＤ演算またはＯＲ演算の結果に従って行われる。
【００７４】
随意に、情報は、以下の通り合意される、すなわち、１に設定される動的シグナリングインジケーションは、対応する第１のリソースセットの全部または一部がＰＤＳＣＨ伝送またはＰＵＳＣＨ伝送に対して多重化されることを可能にされる、またはＰＤＳＣＨ伝送またはＰＵＳＣＨ伝送が対応する第１のリソースセット内のリソースの全部または一部の周囲でレートマッチングを実施する必要がないことを示すと合意され、０に設定される動的シグナリングインジケーションは、対応する第１のリソースセットの全部または一部がＰＤＳＣＨ伝送またはＰＵＳＣＨ伝送に対して多重化されることを禁止される、またはＰＤＳＣＨ伝送またはＰＵＳＣＨ伝送が対応する第１のリソースセット内のリソースの全部または一部の周囲でレートマッチングを実施する必要があることを示すと合意され、ＡＮＤ演算またはＯＲ演算が、全ての複数の重複する第１のリソースセットの動的シグナリングインジケーションに実施され、決定が、ＡＮＤ演算またはＯＲ演算の結果に従って行われる、ステップは、ＯＲ演算を複数の重複する第１のリソースセットの動的シグナリングインジケーションに実施するステップと、ＯＲ演算の結果に従って、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかを決定するステップとを含む。
【００７５】
随意に、１に設定される動的シグナリングインジケーションが、対応する第１のリソースセットの全部または一部がＰＤＳＣＨ伝送またはＰＵＳＣＨ伝送に対して多重化されることを禁止されること、またはＰＤＳＣＨ伝送またはＰＵＳＣＨ伝送が対応する第１のリソースセット内の時間周波数リソースの全部または一部の周囲でレートマッチングを実施する必要があることを示すと合意され、０に設定される動的シグナリングインジケーションが、対応する第１のリソースセットの全部または一部がＰＤＳＣＨ伝送またはＰＵＳＣＨ伝送に対して多重化されることを可能にされること、またはＰＤＳＣＨ伝送またはＰＵＳＣＨ伝送が対応する第１のリソースセット内の時間周波数リソースの全部または一部の周囲でレートマッチングを実施する必要がないことを示すと合意される条件下では、、本方法はさらに、ＡＮＤ演算を複数の重複する第１のリソースセットの動的シグナリングインジケーションに実施するステップと、ＡＮＤ演算の結果に従って、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかを決定するステップとを含む。
【００７６】
随意に、重複が、複数の第１のリソースセットの時間周波数リソース内で生じると、重複される時間周波数リソースがＰＤＳＣＨ伝送またはＰＵＳＣＨ伝送に対して多重化されることを可能にされるかどうか、またはＰＤＳＣＨ伝送またはＰＵＳＣＨ伝送が重複される時間周波数リソースの周囲においてレートマッチングを実施する必要があるかどうかについての情報が、第１のリソースセットの異なるタイプに関して異なる様式を通して決定され、第１のリソースセットの異なるタイプは、以下、すなわち、異なる時間周波数リソース構成様式、異なる時間周波数リソース構成範囲、異なる時間周波数リソース構成粒度、および異なる時間周波数リソース構成優先順位のうちの１つを含む。
【００７７】
随意に、第１のリソースセットが、複数の第２のリソースセットを含有する、または複数の第２のリソースセットの均等物であるとき（本明細書では、複数の第２のリソースセットの均等物であるとは、以下の場合、すなわち、第１のリソースセットは、第１のリソースセットの時間周波数リソースが構成される間、複数の第２のリソースセットを含有しないが、これらの時間周波数リソースは、実際は、複数の第２のリソースセットに対応する複数の時間周波数リソースであって、これは、複数の第２のリソースセットの均等物であるとしてマークされることを含み得ることに留意されたい）、同一の第１のリソースセット内に含まれる複数の第２のリソースセットは、以下の特性、すなわち、複数の第２のリソースセット内の第２の通信ノードの盲目的検出瞬間構成または盲目的検出周期構成が、同一であること、複数の第２のリソースセットの盲目的検出瞬間構成または盲目的検出周期構成のレベルが、同一であって、スロットレベルであって、スロットレベルである、複数の第２のリソースセットの盲目的検出瞬間構成または盲目的検出周期構成のレベルは、以下、すなわち、盲目的検出瞬間構成のそれぞれまたは周期構成のそれぞれは、スロットであること、盲目的検出瞬間構成のそれぞれまたは周期構成のそれぞれは、複数のスロットのインターバルにあることのうちの１つを示すように構成されること、複数の第２のリソースセットの盲目的検出瞬間構成または盲目的検出周期構成のレベルが、同一であって、ミニスロットレベルであって、ミニスロットレベルである、複数の第２のリソースセットの盲目的検出瞬間構成または盲目的検出周期構成のレベルは、以下、すなわち、盲目的検出瞬間構成のそれぞれまたは周期構成のそれぞれは、ミニスロットであること、盲目的検出瞬間構成のそれぞれまたは周期構成のそれぞれは、複数のミニスロットのインターバルにあることのうちの１つを示すように構成されること、複数の第２のリソースセットの盲目的検出瞬間構成または盲目的検出周期構成のレベルが、同一であって、ＯＦＤＭシンボルレベルであって、ＯＦＤＭシンボルレベルである、複数の第２のリソースセットの盲目的検出瞬間構成または盲目的検出周期構成のレベルは、以下、すなわち、盲目的検出瞬間構成のそれぞれまたは周期構成のそれぞれは、ＯＦＤＭシンボルであること、盲目的検出瞬間構成のそれぞれまたは周期構成のそれぞれは、複数のＯＦＤＭシンボルのインターバルにあることのうちの１つを示すように構成されること、複数の第２のリソースセットの盲目的検出瞬間構成または盲目的検出周期構成は、含有関係を満たす必要があって、含有関係は、疎らな回数の盲目的検出または疎らな周期の構成を有する第２のリソースセット、および集約的回数の盲目的検出または集約的周期構成を有する第２のリソースセットに関して、前者の盲目的検出瞬間または周期構成は、後者の盲目的検出瞬間または周期構成のサブセットであること、固定時間ユニット内の複数の第２のリソースセットの盲目的検出瞬間構成または盲目的検出周期構成の発生回数は、同一であって、固定時間ユニットは、以下、すなわち、無線フレーム、サブフレーム、スロット、スロットのＰＤＣＣＨドメインまたはアップリンク制御チャネル範囲、およびスロットの固定場所におけるいくつかのＯＦＤＭシンボルの固定数のうちの１つを含むことのうちの少なくとも１つを満たす必要がある。
【００７８】
随意に、動的シグナリングインジケーションは、第１のリソースセットに関する多重化またはレートマッチング動的シグナリングインジケーションであって、第１のリソースセットに関する多重化またはレートマッチング動的シグナリングインジケーションの有効時間ドメイン範囲は、以下、すなわち、第１のリソースセットがＰＤＳＣＨまたはＰＵＳＣＨの伝送によって使用されるリソースと重複されるときの、第１の盲目的検出瞬間または第１の周期構成瞬間に対応する、時間周波数リソース、第１のリソースセットがＰＤＳＣＨまたはＰＵＳＣＨの伝送によって使用されるリソースと重複されるときの、全ての盲目的検出瞬間または全ての周期構成瞬間に対応する、時間周波数リソース、第１のリソースセットがＰＤＣＣＨドメインまたはアップリンク制御チャネルリソース範囲内のＰＤＳＣＨまたはＰＵＳＣＨの伝送によって使用されるリソースと重複されるときの、全ての盲目的検出瞬間または全ての周期構成瞬間に対応する、時間周波数リソース、第１のリソースセットがＰＤＳＣＨまたはＰＵＳＣＨの伝送によって使用されるリソースと重複されるときの、第２の通信ノードによって時間周波数リソースに実施される盲目的検出の結果に従って決定された有効時間ドメイン範囲、第１のリソースセットがＰＤＳＣＨまたはＰＵＳＣＨの伝送によって使用されるリソースと重複されるときの、第１のサブフレームまたは第１のスロット、および第１のリソースセットがＰＤＳＣＨまたはＰＵＳＣＨの伝送によって使用されるリソースと重複されるときの、全てのサブフレームまたは全てのスロットのうちの１つであると決定される。
【００７９】
随意に、ＰＤＣＣＨドメインまたはアップリンク制御チャネルリソース範囲は、以下のレベル、すなわち、サブフレームレベル、スロットレベル、ミニスロットレベル、およびＯＦＤＭシンボルレベルのうちの１つであることを可能にされ、ＰＤＣＣＨドメインまたはアップリンク制御チャネルリソース範囲がサブフレームレベルであることの決定に応答して、ＰＤＣＣＨドメインまたはアップリンク制御チャネルリソース範囲は、サブフレームの第１のいくつかのＯＦＤＭシンボルであって、ＰＤＣＣＨドメインまたはアップリンク制御チャネルリソース範囲がスロットレベルであることの決定に応答して、ＰＤＣＣＨドメインまたはアップリンク制御チャネルリソース範囲は、スロットの第１のいくつかのＯＦＤＭシンボルであって、ＰＤＣＣＨドメインまたはアップリンク制御チャネルリソース範囲がミニスロットレベルであることの決定に応答して、ＰＤＣＣＨドメインまたはアップリンク制御チャネルリソース範囲は、ミニスロットの第１のいくつかのＯＦＤＭシンボルまたはスロットの固定場所におけるいくつかのＯＦＤＭシンボルであって、ＰＤＣＣＨドメインまたはアップリンク制御チャネルリソース範囲がＯＦＤＭシンボルレベルであることの決定に応答して、ＰＤＣＣＨドメインまたはアップリンク制御チャネルリソース範囲は、事前に設定された固定場所におけるＯＦＤＭシンボルである。
【００８０】
随意に、第２の通信ノードの盲目的検出の結果が、第２の通信ノードに送信されたＰＤＣＣＨが検出されたことであるとき、本方法はさらに、第２の通信ノードによって、レートマッチングを第２の通信ノードに送信された検出されたＰＤＣＣＨによって占有される時間周波数リソースの周囲において実施するステップを含み、第２の通信ノードに送信されたＰＤＣＣＨによって占有される時間周波数リソース以外の残りのリソースに関して、多重化またはレートマッチング動的シグナリングインジケーションは、以下の瞬間、すなわち、盲目的検出瞬間、および第１のリソースセットがＰＤＳＣＨ伝送によって使用されるリソースに重複するリソースに関して有効にされる、または多重化またはレートマッチング動的シグナリングインジケーションが、盲目的検出瞬間において、第１のリソースセットに関して無効であること、盲目的検出瞬間において、第１のリソースセットがＰＤＳＣＨ伝送によって使用されるリソースに重複する時間周波数リソースの全部または一部は、ＰＤＳＣＨ伝送に対して多重化されることが禁止される、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がある。
【００８１】
随意に、第２の通信ノードの盲目的検出の結果が、第２の通信ノードに送信されたＰＤＣＣＨが検出されないとき、本方法はさらに、多重化またはレートマッチング動的シグナリングインジケーションが、盲目的検出瞬間において、第１のリソースセットに関して有効にされること、または多重化またはレートマッチング動的シグナリングインジケーションが、盲目的検出瞬間において、第１のリソースセットに関して無効であることを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることを可能にされる、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がない。
【００８２】
随意に、第１の通信ノードは、動的シグナリングインジケーションをアクティブ化または非アクティブ化するための動的インジケーションを第２の通信ノードに送信する。
【００８３】
随意に、第１の通信ノードは、第２の通信ノードに関する第１のリソースセットについての以下の情報、すなわち、第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すための動的シグナリングインジケーションを決定し、上記のステップが実行された後、第１の通信ノードは、第２の通信ノードに、第１のリソースセットまたは第１のリソースセットのグループに関する１つ以上の動的シグナリングインジケーションを送信する。
【００８４】
随意に、動的シグナリングインジケーションに対応する第１のリソースセットは、以下の様式、すなわち、半静的構成様式および動的決定様式のうちの１つにおいて決定され、動的シグナリングインジケーションは、異なる時間ユニット内の異なる第１のリソースセットに対応することを可能にされる、または異なる時間ユニット内の異なる数の第１のリソースセットに対応することを可能にされ、時間ユニットは、以下、すなわち、スロット、ミニスロット、ＯＦＤＭシンボル、およびサブフレームのうちの１つを含む。
【００８５】
随意に、動的シグナリングインジケーションのビットの一部または全部は、以下の意味、すなわち、ビットの一部または全部は、隣接するビットまたは隣接するビットグループに対応する第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されること、ビットの一部または全部は、具体的な第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されることであって、具体的な第１のリソースセットは、以下、すなわち、第２の通信ノードが盲目的検出を実施する必要がある第１のリソースセット、ＰＤＳＣＨ伝送またはＰＵＳＣＨ伝送をスケジューリングするためのＰＤＣＣＨが位置する第１のリソースセット、動的シグナリングインジケーションによって送信される第１のリソースセット、および第１の通信ノードによって半静的に構成される具体的な第１のリソースセットのうちの１つであることを可能にされること、ビットの一部または全部は、他のビットまたはビットグループに対応する全ての第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの１つを示すために使用されること、ビットの一部または全部は、以下の条件、すなわち、キャリアまたは帯域幅部分のアクティブ化、キャリアまたは帯域幅部分のアクティブ化解除、およびキャリアまたは帯域幅部分のハンドオーバのうちの少なくとも１つが後続時間ユニット内で生じるかどうかを示すために使用されること、ビットの一部または全部は、後続時間ユニットによって送信される動的シグナリングインジケーションの長さが変化するかどうかを示すために使用されることのうちの少なくとも１つを示すことを可能にされる。
【００８６】
随意に、分割は、第１のリソースセットの以下のもの、すなわち、時間ドメイン、周波数ドメイン、および空間ドメインのうちの少なくとも１つが、等しく分割されることを含み、ｎ個の等しい分割は、冗長ビットの数に従って実施されることが決定され、ｎは、正の整数であって、等しい分割が実施された後、非冗長ビットおよび冗長ビットは、ＰＤＳＣＨ伝送またはＰＵＳＣＨ伝送に対して多重化されることが可能な第１のリソースセットの等しく分割された部分、またはＰＤＳＣＨまたはＰＵＳＣＨがレートマッチングを実施する必要がない等しく分割された部分をともに示し、冗長ビットは、ビットの一部または全部である。
【００８７】
本開示の別の実施形態によると、別の時間周波数リソースを決定するための方法がさらに、提供される。本方法は、下記に説明されるステップを含む。
【００８８】
ステップ１では、第２の通信ノードは、第１の通信ノードによって伝送される第１のリソースセットについての情報を受信し、情報は、以下、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを含む。
【００８９】
ステップ２では、情報に従って、以下の構成情報、すなわち、ＰＤＳＣＨ伝送またはＰＵＳＣＨ伝送に対して多重化されることを可能にされる時間周波数リソース、およびＰＤＳＣＨ伝送またはＰＵＳＣＨ伝送がレートマッチングを実施する必要がない時間周波数リソースのうちの１つが決定され、ＰＤＳＣＨ伝送は、データが、ＰＤＳＣＨを通して第２の通信ノードに伝送される、プロセスを含み、ＰＵＳＣＨ伝送は、第２の通信ノードが、ＰＵＳＣＨを通して、データを第１の通信ノードに伝送する、プロセスを含む。
【００９０】
随意に、第１のリソースセットは、以下の情報、すなわち、１つ以上のリソースセットまたはアップリンク制御チャネルリソースまたはアップリンク予約リソース、または完全または部分的リソースセットまたはアップリンク制御チャネルリソースまたはアップリンク予約リソース、１つ以上のＣＯＲＥＳＥＴまたはアップリンク制御チャネルリソースまたはアップリンク予約リソース、または完全または部分的ＣＯＲＥＳＥＴまたはアップリンク制御チャネルリソースまたはアップリンク予約リソース、および１つ以上の具体的信号リソースまたは具体的チャネルリソースであって、以下、すなわち、基準信号リソース、同期信号リソース、およびブロードキャストチャネルリソースのうちの１つを含む、具体的信号リソースまたは具体的チャネルリソースのうちの１つである。
【００９１】
随意に、第２のリソースセットは、以下の情報、すなわち、１つ以上の完全または部分的ＣＯＲＥＳＥＴ、および１つ以上の具体的信号リソースまたは具体的チャネルリソースであって、以下、すなわち、基準信号リソース、同期信号リソース、およびブロードキャストチャネルリソースのうちの１つを含む、具体的信号リソースまたは具体的チャネルリソースのうちの１つを含む。
【００９２】
随意に、動的シグナリングインジケーションは、第１のリソースセットに関する多重化またはレートマッチング動的シグナリングインジケーションであって、第１のリソースセットに関する多重化またはレートマッチング動的シグナリングインジケーションの有効時間ドメイン範囲は、以下、すなわち、第１のリソースセットがＰＤＳＣＨまたはＰＵＳＣＨの伝送によって使用されるリソースと重複されるときの、第１の盲目的検出瞬間または第１の周期構成瞬間に対応する、時間周波数リソース、第１のリソースセットがＰＤＳＣＨまたはＰＵＳＣＨの伝送によって使用されるリソースと重複されるときの、全ての盲目的検出瞬間または全ての周期構成瞬間に対応する、時間周波数リソース、第１のリソースセットがＰＤＣＣＨドメインまたはアップリンク制御チャネルリソース範囲内のＰＤＳＣＨまたはＰＵＳＣＨの伝送によって使用されるリソースと重複されるときの、全ての盲目的検出瞬間または全ての周期構成瞬間に対応する、時間周波数リソース、
【００９３】
第１のリソースセットがＰＤＳＣＨまたはＰＵＳＣＨの伝送によって使用されるリソースと重複されるときの、第２の通信ノードによって時間周波数リソースに実施される盲目的検出の結果に従って決定された有効時間ドメイン範囲、第１のリソースセットがＰＤＳＣＨまたはＰＵＳＣＨの伝送によって使用されるリソースと重複されるときの、第１のサブフレームまたは第１のスロット、および第１のリソースセットがＰＤＳＣＨまたはＰＵＳＣＨの伝送によって使用されるリソースと重複されるときの、全てのサブフレームまたは全てのスロットのうちの１つであると決定される。
【００９４】
随意に、第２の通信ノードは、盲目的検出を実施し、第２の通信ノードの盲目的検出の結果が、第２の通信ノードに送信されたＰＤＣＣＨが検出されたことであるとき、本方法はさらに、第２の通信ノードによって、レートマッチングを第２の通信ノードに送信された検出されたＰＤＣＣＨによって占有される時間周波数リソースの周囲において実施するステップを含み、第２の通信ノードに送信されたＰＤＣＣＨによって占有される時間周波数リソース以外の残りのリソースに関して、第２の通信ノードによって、多重化またはレートマッチング動的シグナリングインジケーションが、以下の瞬間、すなわち、盲目的検出瞬間、および第１のリソースセットがＰＤＳＣＨ伝送によって使用されるリソースに重複するリソースに関して有効であることを決定するステップ、または第２の通信ノードによって、多重化またはレートマッチング動的シグナリングインジケーションが第１のリソースセットに関して盲目的検出瞬間において、無効であることを決定するステップであって、盲目的検出瞬間において、第１のリソースセットがＰＤＳＣＨ伝送によって使用されるリソースに重複する時間周波数リソースの全部または一部は、ＰＤＳＣＨ伝送に対して多重化されることが禁止される、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がある。
【００９５】
随意に、第２の通信ノードは、盲目的検出を実施し、第２の通信ノードの盲目的検出の結果が、第２の通信ノードに送信されたＰＤＣＣＨが検出されないことであるとき、本方法はさらに、多重化またはレートマッチング動的シグナリングインジケーションが、盲目的検出瞬間において、第１のリソースセットに関して有効にされること、または多重化またはレートマッチング動的シグナリングインジケーションが、盲目的検出瞬間において、第１のリソースセットに関して無効であることを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることを可能にされる、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がない。
【００９６】
本開示は、例示的実施形態と併せて下記に説明されるであろう。
【００９７】
実施形態１
【００９８】
基地局は、端末に関する複数のリソースセットを半静的に構成し、ＲＲＣシグナリングを通して、複数のリソースセットを構成してもよい。複数の構成されるリソースセットの時間周波数リソースは、重複しない。
【００９９】
基地局が、端末に関するリソースセットを構成するとき、基地局は、時間周波数リソースユニット内のリソースセットによって占有される時間周波数リソースを構成する必要があって、また、リソースセットが現れる、時間周波数リソースユニット、または端末がリソースセットを監視する、時間周波数リソースユニットを構成する必要がある。時間周波数ユニット内の時間ドメイン構成は、以下、すなわち、周期、時間ユニットオフセット、および時間ユニットパターンのうちの少なくとも１つを通して構成されてもよい。時間周波数リソースユニットの周波数ドメイン構成は、以下、すなわち、キャリア、キャリア内の帯域幅部分（ＢＷＰ）、キャリア内のＢＷＰ上のいくつかのＲＢＧ、およびキャリア内のＢＷＰ上のいくつかのＰＲＢのうちの少なくとも１つを通して構成されてもよい。
【０１００】
基地局が、リソースセットが現れる、時間周波数リソースユニットを構成しない場合、端末は、リソースセットが各時間周波数リソースユニット内に現れるとみなし得る、または端末は、全ての時間周波数リソースユニット内のリソースセットを監視する必要がある。
【０１０１】
実施形態２
【０１０２】
基地局は、端末に関する複数のリソースセットを半静的に構成し、ＲＲＣシグナリングを通して、複数のリソースセットを構成してもよい。複数の構成されるリソースセットの時間周波数リソースは、重複してもよい。本明細書における重複は、部分的重複であってもよい、または完全重複であってもよい。図２は、例示的実施形態による、部分的重複または完全重複の概略図である。図２に示されるように、左から右に、完全重複、部分的重複、および完全重複が、それぞれ、示される。
【０１０３】
基地局が、リソースセットを構成するとき、基地局は、各リソースセットの優先順位、またはリソースが明示的または暗示的様式において重複するリソースセットの優先順位を示してもよい。
【０１０４】
実施例として、明示的様式は、システムによって事前に構成される、またはリソースセットの優先順位シーケンス番号ｘを半静的に構成してもよく、ｘは、整数であって、小から大の優先順位シーケンス番号は、優先順位が高から低であることを示す、または大から小の優先順位シーケンス番号は、優先順位が高から低であることを示す。
【０１０５】
別の実施例では、明示的様式は、システムによって事前に構成される、または特性１を満たすリソースセットを高優先順位として、特性１に満たない残りのリソースセットを低優先順位として半静的に構成してもよい。
【０１０６】
特性１は、限定ではないが、以下、すなわち、特性２を満たす時間周波数リソースの全部または一部を含有するリソースセット、およびその構成様式が特性３を満たすリソースセットのうちの１つであってもよい。
【０１０７】
特性２は、限定ではないが、以下、すなわち、例えば、同期信号、チャネル状態インジケーション−ＲＳ（ＣＳＩ−ＲＳ）、サウンディング基準信号（ＳＲＳ）、復調基準信号（ＤＭＲＳ）、位相追跡基準信号（ＰＴＲＳ）等であり得る、ある基準信号（ＲＳ）によって占有される時間周波数リソース等の具体的または専用時間周波数リソース、および例えば、物理ブロードキャストチャネル（ＰＢＣＨ）、チャネルベアリングシステム情報等であり得る、あるパブリックチャネルによって占有される時間周波数リソース、および予約リソースのうちの１つであってもよい。
【０１０８】
特性３は、限定ではないが、以下、すなわち、リソース要素（ＲＥ）レベル構成粒度およびリソースブロック（ＲＢ）レベル構成粒度等のある構成粒度を含有すること、構成シグナリングがある具体的フォーマットであること、構成シグナリングがある具体的長さであるかまたはある長さを上回ることのうちの１つであってもよい。
【０１０９】
暗示的様式は、リソースセットインデックス自体が優先順位シーケンスを表すものであってもよく、低から高のリソースセットインデックスは、優先順位が高から低であることを表す、または高から低のリソースセットインデックスは、優先順位が高から低であることを表す。
【０１１０】
動的シグナリングが、リソースが重複する複数のリソースセットに関して、ＰＤＳＣＨリソースがリソースセットまたはリソースセットのリソースの一部においてレートマッチングを実施する必要があるかどうかを示すとき、複数のリソースセットの動的シグナリングインジケーションが、一貫する、すなわち、その動的シグナリングインジケーションが全て、レートマッチングが実施される必要がある、またはレートマッチングが実施される必要がないことを示す場合、ＰＤＳＣＨのレートマッチングが、動的シグナリングインジケーションに従って実施され、その動的シグナリングインジケーションが、矛盾する場合、レートマッチングが、いくつかのリソースセットまたはそのリソースの一部に実施される必要があり、レートマッチングが、いくつかのリソースセットまたはそのリソースの一部に実施される必要がなく、これは、高優先順位を伴うリソースセットまたはそのリソースの一部のインジケーションに従って決定される。レートマッチングが実施される必要があるかどうかは、高優先順位を伴うリソースセットまたはそのリソースの一部のインジケーションに基づいて決定される。
【０１１１】
実施形態３
【０１１２】
基地局は、端末に関する複数のリソースセットを半静的に構成し、ＲＲＣシグナリングを通して、複数のリソースセットを構成してもよい。
【０１１３】
基地局は、動的シグナリングインジケーションを端末に送信し、あるスケジューリングに対応するＰＤＳＣＨ伝送を示し、そのリソースセットのあるリソースは、重複されるＰＤＳＣＨによって占有され得る、すなわち、レートマッチングは、実施される必要がなく、そのリソースセットのあるリソースは、ＰＤＳＣＨによって占有されることができない、すなわち、レートマッチングが、実施される必要がある。
【０１１４】
リソースが重複する複数のリソースセットに関して、動的シグナリングインジケーションが、異なる場合、重複エリアに関して、リソースセットのうちの少なくとも１つの動的シグナリングインジケーションが、レートマッチングが実施される必要がないことを示す限り、ＰＤＳＣＨのレートマッチングが、重複エリアに実施される必要がない。重複が生じる全てのリソースセットの動的シグナリングインジケーションが、レートマッチングが実施される必要があることを示すときのみ、ＰＤＳＣＨのレートマッチングが、重複エリアに実施される必要がある。
【０１１５】
「１」に設定されるあるリソースセットに対応する動的シグナリングインジケーションが、レートマッチングが実施される必要がないことを示し、「０」に設定される動的シグナリングインジケーションが、レートマッチングが実施される必要があることを示す場合、複数のリソースセットの重複エリアに関して、ＯＲ演算が、重複エリアに属する、各リソースセットの動的シグナリングインジケーションに従って実施され、リソース多重化またはレートマッチングが重複エリアに実施される必要があるかどうかが、ＯＲ演算の結果に従って決定される。ＯＲ演算の結果が、「１」である場合、レートマッチングが、重複エリアに実施される必要がなく、ＯＲ演算の結果が、「０」である場合、レートマッチングが、重複エリアに実施される必要がある。
【０１１６】
「１」に設定されるあるリソースセットに対応する動的シグナリングインジケーションが、レートマッチングが実施される必要があることを示し、「０」に設定される動的シグナリングインジケーションが、レートマッチングが実施される必要がないことを示す場合、複数のリソースセットの重複エリアに関して、ＡＮＤ演算が、重複エリアに属する、各リソースセットの動的シグナリングインジケーションに従って実施され、リソース多重化またはレートマッチングが重複エリアに実施される必要があるかどうかが、ＡＮＤ演算の結果に従って決定される。ＡＮＤ演算の結果が、「０」である場合、レートマッチングが、重複エリアに実施される必要がなく、ＡＮＤ演算の結果が、「１」である場合、レートマッチングが、重複エリアに実施される必要がある。
【０１１７】
本実施形態では、図３は、本開示の例示的実施形態による、動的インジケーション様式の概略図である。図３に示されるように、リソースセット１内の黒色ブロックは、ＰＤＳＣＨをスケジューリングするＰＤＣＣＨを示す。ＰＤＳＣＨをスケジューリングするＰＤＣＣＨリソースに関して、ＰＤＳＣＨが、ＰＤＣＣＨリソースが位置する、リソースセットの他のリソースにおいてレートマッチングを実施する必要があるかどうかにかかわらず、ＰＤＳＣＨは、ＰＤＳＣＨをスケジューリングするＰＤＣＣＨによって占有される時間周波数リソースの周囲でレートマッチングを実施する必要がある。加えて、端末が、あるリソースセット内の共通ＰＤＣＣＨまたはグループ共通ＰＤＣＣＨを盲目的に検出する場合、ＰＤＳＣＨがリソースセットにおいてレートマッチングを実施する必要があるかどうかにかかわらず、ＰＤＳＣＨは、共通ＰＤＣＣＨおよびグループ共通ＰＤＣＣＨのうちの少なくとも１つによって占有される時間周波数リソースの周囲でレートマッチングを実施する必要がある。
【０１１８】
実施形態４
【０１１９】
基地局は、端末に関する複数のリソースセットを半静的に構成し、ＲＲＣシグナリングを通して、複数のリソースセットを構成してもよい。
【０１２０】
基地局は、動的シグナリングインジケーションを端末に送信し、あるスケジューリングに対応するＰＤＳＣＨ伝送を示し、そのリソースセットのあるリソースは、重複されるＰＤＳＣＨによって占有され得る、すなわち、レートマッチングは、実施される必要がなく、そのリソースセットのあるリソースは、ＰＤＳＣＨによって占有されることができない、すなわち、レートマッチングが、実施される必要がある。動的シグナリングインジケーションは、１つのスロットのＯＦＤＭシンボルの一部において有効であってもよい。
【０１２１】
図４は、実施形態４による、概略図である。図４に示されるように、ＰＤＳＣＨをスケジューリングするＰＤＣＣＨが、リソースセット１内で送信され、ＰＤＳＣＨが半静的に構成されるリソースセットのリソースを多重化するかどうかを示す、動的シグナリングインジケーションが、本ＰＤＣＣＨまたは別のＰＤＣＣＨ内で送信される。リソースセット１に関する動的シグナリングインジケーションが、リソースセット１の時間周波数リソースの全部または一部がＰＤＳＣＨによって多重化され得ることを示す、「１」と仮定すると、ＰＤＳＣＨは、リソースセット１の時間周波数リソースの全部または一部においてレートマッチングを実施する必要がない。リソースセット２の動的シグナリングインジケーションが、リソースセット２の時間周波数リソースの全部または一部が、ＰＤＳＣＨによって多重化され得ないことを示す、「０」であるとき、ＰＤＳＣＨは、リソースセット２の時間周波数リソースの全部または一部においてレートマッチングを実施する必要がある。
【０１２２】
リソースセット１およびリソースセット２は、その独自のモニタ機会構成を有する。リソースセット１のモニタ機会構成は、スロットレベルにある。例えば、各スロットが、監視される必要がある、または各いくつかのスロットが、監視される必要がある。１つのスロットは、最大で１回のモニタ機会のみを有する。リソースセット２のモニタ機会構成は、ミニスロットレベルまたはＯＦＤＭシンボルレベルにあって、１つのスロットは、複数回のモニタ機会を有してもよい。
【０１２３】
リソースセット１およびリソースセット２の動的シグナリングインジケーションは、１回のみのモニタ機会において有効である。例えば、モニタ機会は、リソースセット１、リソースセット２、およびＰＤＳＣＨのリソース配分が、動的シグナリングインジケーションに対応するＰＤＳＣＨ伝送が位置するスロット内で重複する、最初のモニタ機会であってもよい。図４を実施例として使用すると、リソースセット１に関して、有効モニタ機会は、リソースセット１の機会１であり、リソースセット２に関して、有効モニタ機会は、リソースセット２の機会１である。
【０１２４】
実施形態５
【０１２５】
依然として、図４を実施例として使用すると、対応するリソースセットでは、リソースセット１およびリソースセット２の動的シグナリングインジケーションは、対応するＰＤＳＣＨのリソース配分に重複する、全てのモニタ機会において有効である。例えば、全てのモニタ機会は、リソースセット１、リソースセット２、およびＰＤＳＣＨのリソース配分が、動的シグナリングインジケーションに対応するＰＤＳＣＨ伝送が位置するスロット内で重複する、全てのモニタ機会であってもよい。図４を実施例として使用すると、リソースセット１に関して、有効モニタ機会は、リソースセット１の機会１であって、リソースセット２に関して、有効モニタ機会は、リソースセット２の機会１および機会２である。
【０１２６】
実施形態６
【０１２７】
図５は、実施形態６による、概略図である。図５に示されるように、対応するリソースセットでは、リソースセット１およびリソースセット２の動的シグナリングインジケーションは、対応するＰＤＳＣＨのリソース配分に重複する、全てのモニタ機会において有効である。ＰＤＣＣＨドメインは、通常、１つのスロットの最初のいくつかのＯＦＤＭシンボルである。ＰＤＣＣＨドメインでは、動的シグナリングインジケーションは、リソースセット１、リソースセット２、およびＰＤＳＣＨのリソース配分が、重複する、全てのモニタ機会において有効である。図５を実施例として使用すると、リソースセット１に関して、有効モニタ機会は、リソースセット１の機会１であって、リソースセット２に関して、有効モニタ機会は、リソースセット２の機会１および機会２である。機会３はまた、ＰＤＳＣＨのリソース配分に重複するが、機会３は、ＰＤＣＣＨドメイン内にないため、動的シグナリングインジケーションは、リソースセット２の機会３では有効ではない。
【０１２８】
実施形態７
【０１２９】
依然として、図４を実施例として使用すると、リソースセット１およびリソースセット２の動的シグナリングインジケーションに関して、その有効範囲は、端末の盲目的検出に関連する。例えば、対応するリソースセットでは、動的シグナリングインジケーションは、対応するＰＤＳＣＨのリソース配分に重複する、最初のモニタ機会において有効である。図４では、リソースセット１内の最初のモニタ機会は、機会１であって、リソースセット２内の最初のモニタ機会は、機会１である。ＰＤＳＣＨのリソース配分に重複する、他のモニタ機会、例えば、図４におけるリソースセット２の機会２に関して、動的シグナリングインジケーションが有効であるかどうかは、対応するモニタ機会において端末によってリソースセットに実施される盲目的検出の結果に依存する。
【０１３０】
盲目的検出は、以下を含む。
【０１３１】
１）端末が、対応する機会において、基地局によって端末自体に送信されるＰＤＣＣＨを盲目的に検出しない場合、
【０１３２】
対応するＰＤＳＣＨのリソース配分に重複する、本機会における対応するリソースセットの時間周波数リソースが、ＰＤＳＣＨ伝送のために使用されてもよい、すなわち、端末は、動的シグナリングインジケーションに関連しない、対応する時間周波数リソース内のＰＤＳＣＨにおいてレートマッチングを実施する必要がない、または本リソースセットに関する動的シグナリングインジケーションのインジケーションは、有効のまま継続する。
【０１３３】
２）端末が、対応する機会において、基地局によって端末自体に送信されるＰＤＣＣＨを検出する場合、
【０１３４】
対応するリソースセットは、本機会におけるＰＤＳＣＨ伝送のために使用されることができない、すなわち、端末は、動的シグナリングインジケーションに関連しない、対応する時間周波数リソース内のＰＤＳＣＨにおいてレートマッチングを実施する必要がある。
【０１３５】
代替として、本機会における対応するリソースセットでは、端末が、ＰＤＣＣＨによって占有される時間周波数リソース以外のリソースを盲目的に検出するとき、本リソースセットに関する動的シグナリングインジケーションのインジケーションは、有効のまま継続する。
【０１３６】
実施形態８
【０１３７】
図５を実施例として使用すると、リソースセット１およびリソースセット２の動的シグナリングインジケーションに関して、その有効範囲は、端末の盲目的検出に関連する。例えば、対応するリソースセットでは、動的シグナリングインジケーションは、対応するＰＤＳＣＨのリソース配分に重複する、全てのモニタ機会において有効である。図５では、リソースセット１内の有効モニタ機会は、機会１であって、リソースセット２内の有効モニタ機会は、機会１および機会２である。ＰＤＳＣＨのリソース配分に重複する、他のモニタ機会、例えば、図５におけるリソースセット２の機会３に関して、動的シグナリングインジケーションが有効であるかどうかは、対応するモニタ機会において端末によってリソースセットに実施される盲目的検出の結果に依存する。
【０１３８】
盲目的検出の結果は、以下の通りである。
【０１３９】
１）端末が、対応する機会において、基地局によって端末自体に送信されるＰＤＣＣＨを盲目的に検出しない場合、
【０１４０】
対応するＰＤＳＣＨのリソース配分に重複する、本機会における対応するリソースセットの時間周波数リソースが、ＰＤＳＣＨ伝送のために使用されてもよい、すなわち、端末は、動的シグナリングインジケーションに関連しない、対応する時間周波数リソース内のＰＤＳＣＨにおいてレートマッチングを実施する必要がない、または本リソースセットに関する動的シグナリングインジケーションのインジケーションは、有効のまま継続する。
【０１４１】
２）端末が、対応する機会において、基地局によって端末自体に送信されるＰＤＣＣＨを検出する場合、
【０１４２】
対応するリソースセットは、本機会におけるＰＤＳＣＨ伝送のために使用されることができない、すなわち、端末は、動的シグナリングインジケーションに関連しない、対応する時間周波数リソース内のＰＤＳＣＨにおいてレートマッチングを実施する必要がある。
【０１４３】
代替として、本機会における対応するリソースセットでは、端末が、ＰＤＣＣＨによって占有される時間周波数リソース以外のリソースを盲目的に検出するとき、本リソースセットに関する動的シグナリングインジケーションのインジケーションは、有効のまま継続する。
【０１４４】
実施形態９
【０１４５】
図６は、実施形態９による、概略図である。図６に示されるように、リソースセット１内にスケジューリングされたＰＤＳＣＨが、複数のスロットを占有するとき、基地局によって端末に送信され、ＰＤＳＣＨ伝送に対応する、多重化リソース動的シグナリングインジケーションは、ＰＤＳＣＨのリソース配分の第１のスロットにおいてのみ有効であって、ＰＤＳＣＨのリソース配分の他のスロットでは無効である、すなわち、図５では、リソースセット１およびリソースセット２の動的シグナリングインジケーションは、スロット１においてのみ有効であって、スロット２では無効である。
【０１４６】
実施形態１０
【０１４７】
図６に示されるように、リソースセット１内にスケジューリングされたＰＤＳＣＨが、複数のスロットを占有するとき、基地局によって端末に送信され、ＰＤＳＣＨ伝送に対応する、多重化リソース動的シグナリングインジケーションは、ＰＤＳＣＨのリソース配分内に含まれる全てのスロットにおいて有効である、すなわち、図５では、リソースセット１およびリソースセット２の動的シグナリングインジケーションは、スロット１およびスロット２の両方において有効である。
【０１４８】
実施形態１１
【０１４９】
図６に示されるように、リソースセット１内にスケジューリングされたＰＤＳＣＨが、複数のスロットを占有するとき、基地局によって端末に送信され、ＰＤＳＣＨ伝送に対応する、多重化リソース動的シグナリングインジケーションは、ＰＤＳＣＨのリソース配分の第１のスロットにおいて有効である、すなわち、本インジケーションは、図５では、スロット１において有効であって、ＰＤＳＣＨのリソース配分内に含まれる他のスロット、すなわち、図５におけるスロット２に関しては、動的シグナリング２が、示すために要求される。動的シグナリング２のインジケーションに従って、スロット２内の対応するリソースセットが、多重化され得るかどうかにかかわらず、リソースセット１内にスケジューリングされたＰＤＳＣＨが、決定される。動的シグナリング２は、以下のうちの１つであってもよい。
【０１５０】
スロット１内で送信される動的シグナリングインジケーションのアクティブ化／非アクティブ化を示す、インジケーション、および
【０１５１】
スロット１内で送信される動的シグナリングインジケーションに関連しない、新しい動的シグナリングインジケーションであって、示されるリソースセットは、スロット１内で送信される動的シグナリングインジケーションと異なり得る。
【０１５２】
実施形態１２
【０１５３】
ｇＮＢが、リソースセットの時間周波数リソースを構成するとき、１つのリソースセットが、複数のＣＯＲＥＳＥＴを含有する場合、同一リソースセット内に構成される複数のＣＯＲＥＳＥＴのモニタ機会は、ある要件を満たすべきである。要件は、以下のうちの１つ以上のものであってもよい。
【０１５４】
１）各ＣＯＲＥＳＥＴのモニタ機会構成は、全体的に同一である、すなわち、ＣＯＲＥＳＥＴは、同一無線フレームまたはサブフレームまたはスロットまたはＯＦＤＭシンボルにおいて盲目的に検出される。
【０１５５】
２）各ＣＯＲＥＳＥＴのモニタ機会構成レベルが、同一であって、スロットレベルである、例えば、ＣＯＲＥＳＥＴは、各スロットまたは複数のスロット毎に盲目的に検出されてもよい。
【０１５６】
３）各ＣＯＲＥＳＥＴのモニタ機会構成レベルが、同一であって、ミニスロットレベルである、例えば、ＣＯＲＥＳＥＴは、各ミニスロットまたは複数のミニスロット毎において盲目的に検出されてもよい。
【０１５７】
４）各ＣＯＲＥＳＥＴのモニタ機会構成レベルが、同一であって、ＯＦＤＭシンボルレベルである、例えば、ＣＯＲＥＳＥＴは、各ＯＦＤＭシンボルまたは複数のＯＦＤＭＤＭシンボル毎に盲目的に検出されてもよい。
【０１５８】
５）各ＣＯＲＥＳＥＴのモニタ機会構成は、含有関係を満たす必要がある、例えば、疎らな回数の盲目的検出を伴うＣＯＲＥＳＥＴおよび盲目的検出の集約的回数を伴うＣＯＲＥＳＥＴに関して、前者の盲目的検出瞬間は、後者の盲目的検出瞬間のサブセットである。図７に示されるように、ＣＯＲＥＳＥＴ１およびＣＯＲＥＳＥＴ４は、同一リソースセット内に構成され、ＣＯＲＥＳＥＴ１のモニタ機会は、各スロットである一方、ＣＯＲＥＳＥＴ４のモニタ機会は、各奇数スロットであるため、ＣＯＲＥＳＥＴ４のモニタ機会は、ＣＯＲＥＳＥＴ１のモニタ機会のサブセットである。ＣＯＲＥＳＥＴ２およびＣＯＲＥＳＥＴ３は、同一リソースセット内に構成されてもよく、ＣＯＲＥＳＥＴ２のモニタ機会は、各スロットのＯＦＤＭシンボル｛０  ２  ５  １２｝である一方、ＣＯＲＥＳＥＴ３のモニタ機会は、各スロットのＯＦＤＭシンボル｛５｝であるため、ＣＯＲＥＳＥＴ３のモニタ機会は、ＣＯＲＥＳＥＴ２のモニタ機会のサブセットである。
【０１５９】
固定時間ユニット内の各ＣＯＲＥＳＥＴのモニタ機会構成の出現回数は、同一である。例えば、固定時間ユニットとしての１つのスロットでは、そのモニタ機会が１つのスロット内に１回現れる、ＣＯＲＥＳＥＴは、同一リソースセット内に構成されてもよい。図７に示されるように、ＣＯＲＥＳＥＴ１およびＣＯＲＥＳＥＴ３は、そのモニタ機会が１つのスロット内に１回現れるため、同一リソースセット内に構成されてもよい。
【０１６０】
複数のＣＯＲＥＳＥＴを含有するリソースセットが、上記のルールに従って構成された後、本リソースセットに関する動的シグナリングインジケーションは、対応するユニット時間において有効であって、ユニット時間は、サブフレームまたは複数のサブフレーム、またはスロットまたは複数のスロット、または１つのスロットのＰＤＣＣＨドメインまたは複数のスロットのＰＤＣＣＨドメイン、または固定数のＯＦＤＭシンボルであってもよい。ＰＤＳＣＨのリソース配分に重複する、時間周波数リソースでは、ユニット時間内のリソースセット内に含まれる全てのＣＯＲＥＳＥＴの全てのモニタ機会は、動的シグナリングインジケーションに従う。
【０１６１】
代替として、複数のＣＯＲＥＳＥＴを含有する１つのリソースセットが、上記のルールに従って構成された後、本リソースセットに関する動的シグナリングインジケーションは、単一モニタ機会において有効である。単一モニタ機会は、リソースセットがＰＤＳＣＨのリソース配分に重複する、時間周波数リソース内の本リソースセット内に含まれる各ＣＯＲＥＳＥＴの最初のモニタ機会に対応する時間周波数リソースであってもよい。
【０１６２】
実施形態１３
【０１６３】
基地局は、端末に関する複数のリソースセットを半静的に構成し、ＲＲＣシグナリングを通して、複数のリソースセットを構成してもよい。
【０１６４】
基地局は、動的シグナリングインジケーションを端末に送信し、あるスケジューリングに対応するＰＤＳＣＨ伝送を示し、そのリソースセットのあるリソースは、重複されるＰＤＳＣＨによって占有され得る、すなわち、レートマッチングは、実施される必要がなく、そのリソースセットのあるリソースは、ＰＤＳＣＨによって占有されることができない、すなわち、レートマッチングが、実施される必要がある。
【０１６５】
複数のリソースセットの重複エリアに関して、基地局は、スケジューリングされたＰＤＳＣＨ伝送が重複エリアにおいてレートマッチングを実施するかどうかを決定するための原理を構成してもよい。原理は、ＲＲＣシグナリングまたはシステム情報を通して半静的に、またはＰＤＣＣＨを通して動的に構成されてもよい。
【０１６６】
複数のリソースセットの重複エリアに関して、異なる原理が、スケジューリングされたＰＤＳＣＨ伝送が重複エリアにおいてレートマッチングを実施するかどうかを決定するために採用されてもよい。例えば、異なる構成様式または異なるタイプの時間周波数リソースを含有するリソースセットに関して、異なる原理が、採用されてもよい。図８は、実施形態１３による、概略図１である。図８に示されるように、リソースセット１およびリソースセット２が、構成様式１において構成される、またはタイプ１の時間周波数リソースを含有するリソースセットとして構成され、リソースセット３が、構成様式２において構成される、またはタイプ２の時間周波数リソースを含有するリソースセットとして構成されるとき、リソースセット１およびリソースセット２の重複エリアＯＡ１に関して、ＰＤＳＣＨがＯＡ１においてレートマッチングを実施する必要があるかどうかは、原理１に従って決定され、リソースセット１およびリソースセット３の重複エリアＯＡ２に関して、ＰＤＳＣＨがＯＡ２においてレートマッチングを実施する必要があるかどうかは、原理２に従って決定される。
【０１６７】
原理１および原理２は、以下のうちの１つであってもよい。
【０１６８】
１）重複が生じるリソースセットでは、１つのリソースセットが、動的シグナリングインジケーションによって、ＰＤＳＣＨによって多重化されることが不可能であると示される限り、ＰＤＳＣＨがリソースセットにおいてレートマッチングを実施する必要があり、ＰＤＳＣＨが他のリソースセットにおいてレートマッチングを実施する必要があるかどうかにかかわらず、重複エリアは、ＰＤＳＣＨによって多重化されることができず、ＰＤＳＣＨは、重複エリアにおいてレートマッチングを実施する必要がある。
【０１６９】
２）重複が生じるリソースセットでは、１つのリソースセットが、動的シグナリングインジケーションによって、ＰＤＳＣＨによって多重化されることが可能であると示される限り、ＰＤＳＣＨは、リソースセットにおいてレートマッチングを実施する必要がなく、ＰＤＳＣＨが他のリソースセットにおいてレートマッチングを実施する必要があるかどうかにかかわらず、重複エリアは、ＰＤＳＣＨによって多重化されることができ、ＰＤＳＣＨは、重複エリアにおいてレートマッチングを実施する必要がない。
【０１７０】
３）システムによって半静的に構成または事前に構成される優先順位の均等物である、システムまたはリソースセット優先順位によって半静的に構成または事前に構成されるリソースセット優先順位に従って、高優先順位を有するリソースセットが、低優先順位を有するリソースセットに重複するとき、高優先順位を有するリソースセットの動的シグナリングインジケーションが、重複エリアがＰＤＳＣＨによって多重化され得るかどうか、およびＰＤＳＣＨが重複エリアにおいてレートマッチングを実施する必要があるかどうかを決定するために従われる。
【０１７１】
実施形態１４
【０１７２】
動的シグナリングインジケーションは、１つ以上のリソースセット時間周波数リソースが、スケジューリングされたＰＤＳＣＨ伝送によって使用されることができるかどうか、またはスケジューリングされたＰＤＳＣＨ伝送がリソースセット時間周波数リソースにおいてレートマッチングを実施する必要があるかどうかを示すための１つ以上のビットを含有してもよい。動的シグナリングインジケーション内のある１つまたは複数のビットによって示されるリソースセットは、半静的に構成されてもよい、または動的に変化されてもよい。
【０１７３】
図９は、実施形態１４による、概略図１である。図９に示されるように、リソースセットが、半静的に構成されるとき、基地局は、ＲＲＣシグナリングまたはシステム情報を通して、リソース１およびリソース２に対応する動的シグナリングインジケーション内のｘ番目のビットまたはビットグループを構成し、リソースセット３に対応する動的シグナリングインジケーション内のｙ番目のビットまたはビットグループを構成してもよく、ｘおよびｙは、動的シグナリングインジケーションの長さ以下の正の整数である。１つのスロットでは、リソースリソースセット１およびリソースセット２に対応する、時間周波数は、同一または異なってもよく、基地局によって、ＲＲＣシグナリングまたはシステム情報を通して、半静的に構成されてもよい。リソースセット１およびリソースセット２の以下のパラメータ、すなわち、構成周期、時間ドメインオフセット、およびモニタ機会のうちの少なくとも１つは、異なり、これらのパラメータはまた、基地局によって、ＲＲＣシグナリングまたはシステム情報を通して、半静的に構成されてもよい。したがって、基地局は、ＲＲＣシグナリングまたはシステム情報を通して、リソースセット１内に現れる時間ユニット、動的シグナリングインジケーション内のリソースセット１に対応するｘ番目のビットまたはビットグループ、リソースセット２内に現れる時間ユニット、動的シグナリングインジケーション内のリソースセット２に対応するｘ番目のビットまたはビットグループ、および動的シグナリングインジケーション内のリソースセット３に対応するｙ番目のビットまたはビットグループを半静的に構成してもよい。
【０１７４】
図９に示されるように、リソースセットが、動的に構成されるとき、基地局は、ＲＲＣシグナリングまたはシステム情報を通して、リソース１およびリソース２に対応する動的シグナリングインジケーション内のｘ番目のビットまたはビットグループを構成し、リソースセット３に対応する動的シグナリングインジケーション内のｙ番目のビットまたはビットグループを構成してもよく、ｘおよびｙは、動的シグナリングインジケーションの長さ以下の正の整数である。１つのスロットでは、リソースセット１およびリソースセット２に対応する、時間周波数リソースは、同一または異なってもよく、基地局によって、ＲＲＣシグナリングまたはシステム情報を通して、半静的に構成されてもよい。リソースセット１およびリソースセット２の以下のパラメータ、すなわち、構成周期、時間ドメインオフセットおよびモニタ機会のうちの少なくとも１つは、異なり、これらのパラメータはまた、基地局によって、ＲＲＣシグナリングまたはシステム情報を通して、半静的に構成されてもよい。基地局の構成に従って、端末が、リソースセット１またはリソースセット２のみがＰＤＳＣＨによってスケジューリングされるある時間ユニット（サブフレームまたはスロットまたはミニスロットまたはＯＦＤＭシンボルグループであってもよい）内に存在することを決定し得るとき、ｘ番目のビットまたはビットグループに対応するリソースセットは、リソースセット１またはリソースセット２であってもよく、動的シグナリングセット内のｙ番目のビットまたはビットグループは、常時、リソースセット３に対応する。
【０１７５】
リソースセット１およびリソースセット２の構成はまた、図１０に示され得る。図１０は、実施形態１４による、概略図２である。動的シグナリングインジケーション内のｘ番目のビットまたはビットグループは、いくつかの時間ユニット（スロット１、３、および５等）内のリソースセット１に対応する、またはいくつかの時間ユニット（スロット２、４、および６等）内のリソースセット１およびリソースセット２に対応する、すなわちｘ番目のビットまたはビットグループに対応する、リソースセットインデックスおよびリソースセットの数は、異なり得、また、半静的に構成される、またはリソースセットの構成に従って、端末によって決定されてもよい。
【０１７６】
実施形態１５
【０１７７】
基地局が、動的シグナリングの長さをｍビットであるように構成し、動的シグナリングがｍ＋１であることを示すために必要とする候補多重化リソースセットの数を構成するとき、動的シグナリングのｍビットが対応するリソースセットは、ある時間ユニット内に記憶されるリソースセットおよびスケジューリングされたＰＤＳＣＨ伝送に関するリソース配分に重複するリソースセットに依存する。
【０１７８】
ｍ＝２を実施例として使用すると、動的シグナリングの長さは、２ビットであって、候補多重化リソースセットの数は、３であって、これは、それぞれ、リソースセット１、リソースセット２、およびリソースセット３としてマークされる。
【０１７９】
これらの３つのリソースセットが、ある時間ユニット内に存在し、全て、現在の時間ユニットによってスケジューリングされるＰＤＳＣＨ伝送のリソース配分に重複する場合、以下の様式のうちの１つまたはそれらの組み合わせが、採用される。
【０１８０】
リソースセットのシーケンス順序または優先順位順序に従って、２ビット動的シグナリングは、最後のリソースセットの多重化を示すことができない、すなわち、端末は、デフォルトによって、最後のリソースセットが、ＰＤＳＣＨによって多重化されることができず、ＰＤＳＣＨが最後のリソースセットにおいてレートマッチングを実施する必要があると見なす。
【０１８１】
リソースセットのシーケンス順序または優先順位順序に従って、動的シグナリングインジケーション内の１ビットは、最後の２つのリソースセットの多重化をともに示すために使用される、すなわち、最後の２つのリソースセットの両方が、多重化される、または両方が多重化されない。
【０１８２】
ある時間ユニット内において、現在の時間ユニットによってスケジューリングされるＰＤＳＣＨ伝送のリソース配分に重複する、リソースセットの数が、２である場合、動的シグナリングの２ビットは、それぞれ、２つのリソースセットを示す。
【０１８３】
ある時間ユニットにおいて、現在の時間ユニットによってスケジューリングされるＰＤＳＣＨ伝送のリソース配分に重複する、リソースセットの数が、２未満、例えば、１である場合、冗長ビットが、動的インジケーションシグナリング内に存在する。
【０１８４】
実施形態１６
【０１８５】
現在の時間ユニットが示す必要があるリソースセットの数と比較して、ある時間ユニットによって伝送される動的インジケーションシグナリング内に含有されるビットの数に冗長性が存在するとき、冗長ビットは、以下の機能またはそれらの組み合わせのうちの１つを有してもよい。
【０１８６】
冗長ビットは、隣接するビットまたはビットグループに対応するリソースセットの時間ドメイン、周波数ドメイン、および空間ドメインのうちの少なくとも１つが、分割された後、多重化またはレートマッチングを示すために使用される。
【０１８７】
冗長ビットは、具体的リソースセットの時間ドメイン、周波数ドメイン、および空間ドメインのうちの少なくとも１つが、分割された後、多重化またはレートマッチングを示すために使用される。具体的リソースセットは、端末が監視する必要があるリソースセット、またはスケジューリングされたＰＤＳＣＨ伝送を受信するＰＤＣＣＨのリソースセット、または動的シグナリングインジケーションによって送信されるリソースセット、または基地局によって半静的に構成される具体的リソースセットであってもよい。
【０１８８】
冗長ビットは、全ての他の隣接するビットまたはビットグループに対応する１つおきのリソースセットの時間ドメイン、周波数ドメイン、および空間ドメインのうちの少なくとも１つが、分割された後、多重化またはレートマッチングを示すために使用される。
【０１８９】
冗長ビットは、キャリアまたはＢＷＰのアクティブ化およびアクティブ化解除またはハンドオーバが後続時間ユニット内で生じるかどうかを示すために使用される。分割は、対応するリソースセットの時間ドメイン、周波数ドメイン、および空間ドメインのうちの少なくとも１つが、等しく分割され、冗長ビットの数に従って、ｎ個の部分に等しく分裂され得るものであって、ｎは、正の整数であって、等しい分割が実施された後、非冗長ビットおよび冗長ビットは、ＰＤＳＣＨ伝送に対して多重化されることが可能な対応するリソースセットの等しく分割された部分をともに示す、またはＰＤＳＣＨは、等しく分割された部分においてレートマッチングを実施する必要がない。
【０１９０】
冗長ビットは、後続時間ユニットによって送信される動的シグナリングインジケーションの長さが変化するかどうかを示すために使用される。例えば、状態「０」は、長さが変化しないことを表し、状態「１」は、長さが変化することを表す。例えば、長さは、ｚビットによってリキュー（ｒｅｃｕｅ）または増加され、ｚは、限定ではないが、冗長ビットの数または１と等しくてもよい。
【０１９１】
実施形態１７
【０１９２】
基地局は、端末に関する１つ以上のリソースセットを構成し、いくつかのリソースセットは、１つ以上の完全または部分的ＣＯＲＥＳＥＴを含有するように構成される一方、他のリソースセットの構成は、ＣＯＲＥＳＥＴに関連しない、または具体的時間周波数リソースが、ＣＯＲＥＳＥＴに重複するが、基地局は、リソースセットを具体的ＣＯＲＥＳＥＴシーケンスを用いて構成せず、リソースセット内に含有される具体的時間周波数リソースを明示的様式において直接構成する。構成の間、以下のリソース、すなわち、時間ドメインリソースユニット内に含有される時間ドメインリソース、周波数ドメインリソースユニット内に含有される周波数ドメインリソース、時間ドメイン内の時間ドメインリソースユニットの周期およびオフセット、および周波数ドメイン内の周波数ドメインリソースユニットの周期およびオフセットのうちの少なくとも１つが、構成されてもよい。
【０１９３】
例えば、時間ドメインリソースユニットは、スロットまたはサブフレームであってもよく、基地局は、時間ドメインリソースユニット内のスロットまたはサブフレームのＯＦＤＭシンボルの一部を占有するためのあるリソースセットを構成する。
【０１９４】
周波数ドメインリソースユニットは、Ｎ個のＰＲＢ、例えば、２５または５０個のＰＲＢであってもよく、基地局は、周波数ドメインリソースユニット内のＮ個のＰＲＢのＰＲＢの一部を占有するためのあるリソースセットを構成する。
【０１９５】
時間ドメイン内の時間ドメインリソースユニットの周期は、１つ以上の時間ドメインリソースユニットであってもよい。例えば、周期が、２つのスロットとして構成される場合、２つのスロット毎に、１つのスロットのＯＦＤＭシンボルの一部が、リソースセットの時間ドメインリソースであることを意味する。時間ドメイン内の時間ドメインリソースユニットのオフセットは、リソースセットの時間ドメインリソースが、ある時間ドメイン周期内の時間ドメインリソースユニット内に存在することを表す（どの時間ドメインリソースであるかは、オフセットの値に依存する）。オフセットが、１に設定される場合、各ドメイン周期内の第１の時間ドメインリソースユニットのＯＦＤＭシンボルの一部が、リソースセットの時間ドメインリソースであることを意味する。
【０１９６】
周波数ドメイン内の周波数ドメインリソースユニットの周期は、１つ以上の周波数ドメインリソースユニットであってもよく、１つ以上の搬送される帯域幅または１つのキャリア帯域幅の１つ以上のＢＷＰに限定されてもよい。例えば、周期が、２つの周波数ドメインリソースユニットに設定される場合、２つの周波数ドメインリソースユニット毎に、１つの周波数ドメインリソースユニットのＰＲＢの一部が、リソースセットの周波数ドメインリソースであることを意味する。周波数ドメイン内の周波数ドメインリソースユニットのオフセットは、リソースセットの周波数ドメインリソースが１つの周波数ドメイン周期内の周波数ドメインリソースユニット内に存在することを表す（どの周波数ドメインリソースユニットであるかは、オフセットの値に依存する）。オフセットが、１に設定される場合、各周波数ドメイン周期内の第１の周波数ドメインリソースユニットの一部のＰＲＢが、リソースセットの周波数ドメインリソースであることを意味する。
【０１９７】
図１１は、実施形態１７による、第１のリソースセットを構成するための別の方法のフローチャートである。図１１に示されるように、図１１は、上記の説明のグラフィカル表現を示す。
【０１９８】
実施形態の上記の説明から、上記に説明される実施形態における方法は、ソフトウェアに加え、必要な汎用ハードウェアプラットフォームによって実装されてもよい、または当然ながら、ハードウェアによって実装されてもよいことが、当業者に明白となるであろう。しかしながら、多くの場合、前者が、好ましい実装モードである。本理解に基づいて、本開示によって提供されるソリューションは、実質的に、または関連技術分野に寄与する部分は、ソフトウェア製品の形態で具現化されてもよい。コンピュータソフトウェア製品は、記憶媒体（読取専用メモリ（ＲＯＭ）／ランダムアクセスメモリ（ＲＡＭ）、磁気ディスク、または光ディスク等）内に記憶され、端末デバイス（携帯電話、コンピュータ、サーバ、ネットワークデバイス、または同等物であってもよい）が、本開示の各実施形態に従って方法を実行することを可能にするためのいくつかの命令を含む。
【０１９９】
実施形態１８
【０２００】
本実施形態はさらに、上記に述べられた実施形態および好ましい実施形態を実装するために、時間周波数リソースを決定するためのデバイスを提供する。説明された内容は、繰り返されないであろう。下記で使用されるように、用語「モジュール」は、所定の機能を実装することが可能なソフトウェア、ハードウェア、またはそれらの組み合わせであってもよい。以下の実施形態に説明される装置は、好ましくは、ソフトウェアによって実装されるが、ハードウェアまたはソフトウェアおよびハードウェアの組み合わせによる実装もまた、可能性として考えられ、想起される。
【０２０１】
本開示の別の実施形態によると、時間周波数リソースを決定するためのデバイスがさらに、提供される。本デバイスは、第１の通信ノードに適用され、第１の決定モジュールと、伝送モジュールとを含む。
【０２０２】
第１の決定モジュールは、第２の通信ノードに関する第１のリソースセットについての以下の情報、すなわち、第１のリソースセット内に含有される第２のリソースセットの時間周波数リソース、第１のリソースセット内に含有される第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定するように構成される。
【０２０３】
伝送モジュールは、情報を第２の通信ノードに伝送するように構成され、ＰＤＳＣＨ伝送は、データが、ＰＤＳＣＨを通して第２の通信ノードに伝送される、プロセスを含み、ＰＵＳＣＨ伝送は、第２の通信ノードが、ＰＵＳＣＨを通して、データを第１の通信ノードに伝送する、プロセスを含む。
【０２０４】
上記の実施形態１における第１の決定モジュールによって実行される方法は、第１の決定モジュールに適用される上記のデバイスによって実行されてもよいことを付け加えられたい。
【０２０５】
随意に、第１のリソースセットは、以下の情報、すなわち、１つ以上の完全または部分的リソースセット、１つ以上の完全または部分的ＣＯＲＥＳＥＴ、および１つ以上の具体的信号リソースまたは具体的チャネルリソースであって、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、具体的信号リソースまたは具体的チャネルリソースのうちの１つである。
【０２０６】
随意に、第２のリソースセットは、以下の情報、すなわち、１つ以上の完全または部分的ＣＯＲＥＳＥＴ、および１つ以上の具体的信号リソースまたは具体的チャネルリソースであって、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、具体的信号リソースまたは具体的チャネルリソースのうちの１つを含む。
【０２０７】
随意に、第１の決定モジュールは、第２の通信ノードに関する１つ以上の第１のリソースセットを構成し、複数の構成される第１のリソースセットの時間周波数リソースは、部分的に重複することが禁止される、または完全に重複することが禁止される。
【０２０８】
随意に、第１の決定モジュールが、第２の通信ノードに関する複数の第１のリソースセットを構成するとき、第１の決定モジュールは、複数の第１のリソースセットの一部または全部に関する優先順位を構成する。
【０２０９】
随意に、複数の第１のリソースセットの時間周波数リソースが、重複するとき、重複される時間周波数リソースがＰＤＳＣＨ伝送に対して多重化されることを可能にされるかどうか、またはＰＤＳＣＨ伝送が重複される時間周波数リソースの周囲においてレートマッチングを実施する必要があるかどうかが、以下の様式を通して決定される、すなわち、決定は、より高い優先順位を有する第１のリソースセットの動的シグナリングインジケーションに従って行われる。
【０２１０】
随意に、第２の通信ノードに関する第１のリソースセットは、以下、すなわち、時間ドメインリソースユニット内の時間ドメインリソースの一部が、第１のリソースセットとして構成されること、周波数ドメインリソースユニット内の周波数ドメインリソースの一部が、第１のリソースセットとして構成されることのうちの１つを含む。
【０２１１】
随意に、第２の通信ノードに関する第１のリソースセットは、以下、すなわち、時間ドメインでは、周期的に構成される時間ドメインリソースユニットの時間ドメインリソースの一部は、第１のリソースセットとして構成されること、時間ドメインリソースユニットは、偏移されること、周波数ドメインでは、指定されるサブキャリア範囲内の周波数ドメインリソースユニット内の周波数ドメインリソースの一部は、第１のリソースセットとして構成されること、周波数ドメインでは、指定される帯域幅範囲内の周波数ドメインリソースユニット内の周波数ドメインリソースの一部が、第１のリソースセットとして構成されることのうちの少なくとも１つを含む。
【０２１２】
随意に、重複が、複数の第１のリソースセットの時間周波数リソース内で生じると、重複される時間周波数リソースがＰＤＳＣＨ伝送に対して多重化されることを可能にされるかどうか、またはＰＤＳＣＨ伝送が重複される時間周波数リソースの周囲においてレートマッチングを実施する必要があるかどうかが、以下の様式を通して決定される、すなわち、ＡＮＤ演算またはＯＲ演算が、全ての複数の重複する第１のリソースセットの動的シグナリングインジケーションに実施され、決定が、ＡＮＤ演算またはＯＲ演算の結果に従って行われる。
【０２１３】
随意に、情報は、以下の通り合意される、すなわち、１に設定される動的シグナリングインジケーションは、対応する第１のリソースセットの全部または一部が、ＰＤＳＣＨ伝送に対して多重化されることを可能にされること、またはＰＤＳＣＨ伝送は、対応する第１のリソースセット内のリソースの全部または一部の周囲でレートマッチングを実施する必要がないことことを示すと合意され、０に設定される動的シグナリングインジケーションは、対応する第１のリソースセットの全部または一部が、ＰＤＳＣＨ伝送に対して多重化されることが禁止されること、またはＰＤＳＣＨ伝送が対応する第１のリソースセット内のリソースの全部または一部の周囲でレートマッチングを実施する必要があることを示すと合意され、ＡＮＤ演算またはＯＲ演算が、全ての複数の重複する第１のリソースセットの動的シグナリングインジケーションに実施され、決定が、ＡＮＤ演算またはＯＲ演算の結果に従って行われる、ステップは、ＯＲ演算を、重複が時間周波数リソース内で生じる、複数の第１のリソースセットの動的シグナリングインジケーションに実施するステップと、ＯＲ演算の結果に従って、重複される時間周波数リソースがＰＤＳＣＨ伝送に対して多重化されることを可能にされるかどうか、またはＰＤＳＣＨ伝送が重複される時間周波数リソースの周囲においてレートマッチングを実施する必要があるかどうかを決定するステップとを含む。
【０２１４】
随意に、１に設定される動的シグナリングインジケーションが、対応する第１のリソースセットの全部または一部がＰＤＳＣＨ伝送に対して多重化されることが禁止されること、またはＰＤＳＣＨ伝送が対応する第１のリソースセット内の時間周波数リソースの全部または一部の周囲でレートマッチングを実施する必要があることを示すと合意され、０に設定される動的シグナリングインジケーションが、対応する第１のリソースセットの全部または一部が、ＰＤＳＣＨ伝送に対して多重化されることを可能にされること、またはＰＤＳＣＨ伝送が対応する第１のリソースセット内の時間周波数リソースの全部または一部の周囲でレートマッチングを実施する必要がないことを示すと合意される、条件下では、本方法はさらに、ＡＮＤ演算を複数の重複する第１のリソースセットの動的シグナリングインジケーションに実施するステップと、ＡＮＤ演算の結果に従って、重複される時間周波数リソースがＰＤＳＣＨ伝送に対して多重化されることを可能にされるかどうか、またはＰＤＳＣＨ伝送が重複される時間周波数リソースの周囲においてレートマッチングを実施する必要があるかどうかを決定するステップを含む。
【０２１５】
随意に、重複が、複数の第１のリソースセットの時間周波数リソース内で生じると、重複される時間周波数リソースがＰＤＳＣＨ伝送に対して多重化されることを可能にされるかどうか、またはＰＤＳＣＨ伝送が重複される時間周波数リソースの周囲においてレートマッチングを実施する必要があるかどうかについての情報が、第１のリソースセットの異なるタイプに関して異なる様式を通して決定され、第１のリソースセットの異なるタイプは、以下、すなわち、異なる時間周波数リソース構成様式、異なる時間周波数リソース構成範囲、異なる時間周波数リソース構成粒度、および異なる時間周波数リソース構成優先順位のうちの１つを含む。
【０２１６】
随意に、第１のリソースセットが、複数の第２のリソースセットを含有する、または複数の第２のリソースセットの均等物であるとき、同一の第１のリソースセット内に含有される複数の第２のリソースセットは、以下の特性、すなわち、複数の第２のリソースセット内の第２の通信ノードの盲目的検出瞬間構成または盲目的検出周期構成が、同一であること、複数の第２のリソースセットの盲目的検出瞬間構成または盲目的検出周期構成のレベルが、同一であって、スロットレベルであって、スロットレベルである、複数の第２のリソースセットの盲目的検出瞬間構成または盲目的検出周期構成のレベルは、以下、すなわち、盲目的検出瞬間構成のそれぞれまたは周期構成のそれぞれは、スロットであること、盲目的検出瞬間構成のそれぞれまたは周期構成のそれぞれは、複数のスロットのインターバルにあることのうちの１つを示すように構成されること、複数の第２のリソースセットの盲目的検出瞬間構成または盲目的検出周期構成のレベルが、同一であって、ミニスロットレベルであって、ミニスロットレベルである、複数の第２のリソースセットの盲目的検出瞬間構成または盲目的検出周期構成のレベルは、以下、すなわち、盲目的検出瞬間構成のそれぞれまたは周期構成のそれぞれは、ミニスロットであること、盲目的検出瞬間構成のそれぞれまたは周期構成のそれぞれは、複数のミニスロットのインターバルにあることのうちの１つを示すように構成されること、複数の第２のリソースセットの盲目的検出瞬間構成または盲目的検出周期構成のレベルが、同一であって、ＯＦＤＭシンボルレベルであって、ＯＦＤＭシンボルレベルである、複数の第２のリソースセットの盲目的検出瞬間構成または盲目的検出周期構成のレベルは、以下、すなわち、盲目的検出瞬間構成のそれぞれまたは周期構成のそれぞれは、ＯＦＤＭシンボルであること、盲目的検出瞬間構成のそれぞれまたは周期構成のそれぞれは、複数のＯＦＤＭシンボルのインターバルにあることのうちの１つを示すように構成されること、複数の第２のリソースセットの盲目的検出瞬間構成または盲目的検出周期構成は、含有関係を満たす必要があって、含有関係は、疎らな回数の盲目的検出または疎らな周期の構成を有する第２のリソースセット、および集約的回数の盲目的検出または集約的周期構成を有する第２のリソースセットに関して、前者の盲目的検出瞬間または周期構成は、後者の盲目的検出瞬間または周期構成のサブセットであること、固定時間ユニット内の複数の第２のリソースセットの盲目的検出瞬間構成または盲目的検出周期構成の発生回数は、同一であって、固定時間ユニットは、以下、すなわち、無線フレーム、サブフレーム、スロット、スロットのＰＤＣＣＨドメインまたはアップリンク制御チャネル範囲、およびスロットの固定場所におけるいくつかのＯＦＤＭシンボルの固定数のうちの１つを含むことのうちの少なくとも１つを満たす必要がある。
【０２１７】
随意に、動的シグナリングインジケーションは、第１のリソースセットに関する多重化またはレートマッチング動的シグナリングインジケーションであって、第１のリソースセットに関する多重化またはレートマッチング動的シグナリングインジケーションの有効時間ドメイン範囲は、以下、すなわち、第１のリソースセットがＰＤＳＣＨ伝送によって使用されるリソースに重複する、第１の盲目的検出瞬間または第１の周期構成瞬間に対応する、時間周波数リソース、第１のリソースセットがＰＤＳＣＨ伝送によって使用されるリソースに重複する、全ての盲目的検出瞬間または全ての周期構成瞬間に対応する、時間周波数リソース、第１のリソースセットがＰＤＣＣＨドメイン内のＰＤＳＣＨ伝送によって使用されるリソースに重複する、全ての盲目的検出瞬間または全ての周期構成瞬間に対応する、時間周波数リソース、第１のリソースセットがＰＤＳＣＨ伝送によって使用されるリソースに重複する、第２の通信ノードによって時間周波数リソースに実施される盲目的検出の結果に従って決定された有効時間ドメイン範囲、第１のリソースセットがＰＤＳＣＨ伝送によって使用されるリソースに重複する、第１のサブフレームまたは第１のスロット、および第１のリソースセットがＰＤＳＣＨ伝送によって使用されるリソースに重複する、全てのサブフレームまたは全てのスロットのうちの１つであると決定される。
【０２１８】
随意に、ＰＤＣＣＨドメインは、以下のレベル、すなわち、サブフレームレベル、スロットレベル、ミニスロットレベル、およびＯＦＤＭシンボルレベルのうちの１つであることを可能にされ、ＰＤＣＣＨドメインがサブフレームレベルであることの決定に応答して、ＰＤＣＣＨドメインは、サブフレームの第１のいくつかのＯＦＤＭシンボルであって、ＰＤＣＣＨドメインがスロットレベルであることの決定に応答して、ＰＤＣＣＨドメインは、スロットの第１のいくつかのＯＦＤＭシンボルであって、ＰＤＣＣＨドメインがミニスロットレベルであることの決定に応答して、ＰＤＣＣＨドメインは、ミニスロットの第１のいくつかのＯＦＤＭシンボルまたはスロットの固定場所におけるいくつかのＯＦＤＭシンボルであって、ＰＤＣＣＨドメインがＯＦＤＭシンボルレベルであることの決定に応答して、ＰＤＣＣＨドメインは、事前に設定された固定場所におけるＯＦＤＭシンボルである。
【０２１９】
随意に、第２の通信ノードの盲目的検出の結果が、第２の通信ノードに送信されたＰＤＣＣＨが検出されたことであるとき、本方法はさらに、第２の通信ノードによって、レートマッチングを第２の通信ノードに送信された検出されたＰＤＣＣＨによって占有される時間周波数リソースの周囲において実施するステップを含み、第２の通信ノードに送信されたＰＤＣＣＨによって占有される時間周波数リソース以外の残りのリソースに関して、多重化またはレートマッチング動的シグナリングインジケーションは、以下の瞬間、すなわち、盲目的検出瞬間、および第１のリソースセットがＰＤＳＣＨ伝送によって使用されるリソースに重複するリソースに関して有効にされる、または多重化またはレートマッチング動的シグナリングインジケーションが、盲目的検出瞬間において、第１のリソースセットに関して無効であって、盲目的検出瞬間において、第１のリソースセットがＰＤＳＣＨ伝送によって使用されるリソースに重複する時間周波数リソースの全部または一部は、ＰＤＳＣＨ伝送に対して多重化されることが禁止される、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がある。
【０２２０】
随意に、第２の通信ノードの盲目的検出の結果が、第２の通信ノードに送信されたＰＤＣＣＨが検出されないとき、本方法はさらに、多重化またはレートマッチング動的シグナリングインジケーションが、盲目的検出瞬間において、第１のリソースセットに関して有効にされること、または多重化またはレートマッチング動的シグナリングインジケーションが、盲目的検出瞬間において、第１のリソースセットに関して無効であることを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることを可能にされる、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がない。
【０２２１】
随意に、伝送モジュールは、動的シグナリングインジケーションをアクティブ化または非アクティブ化するための動的インジケーションを第２の通信ノードに送信する。
【０２２２】
随意に、第１の決定モジュールは、以下の第２の通信ノードに関する第１のリソースセットについての情報、すなわち、第１のリソースセットがＰＤＳＣＨ伝送に対して多重化されるかどうか、またはＰＤＳＣＨ伝送がレートマッチングを実施する必要があるかどうかを示すための動的シグナリングインジケーションを決定し、上記のステップが実行された後、伝送モジュールは、第２の通信ノードに、第１のリソースセットまたは第１のリソースセットのグループに関する１つ以上の動的シグナリングインジケーションを送信する。
【０２２３】
随意に、動的シグナリングインジケーションに対応する第１のリソースセットは、以下の様式、すなわち、半静的構成様式および動的決定様式のうちの１つにおいて決定される。その場合、動的シグナリングインジケーションは、異なる時間ユニット内の異なる第１のリソースセットに対応することを可能にされる、または異なる時間ユニット内の異なる数の第１のリソースセットに対応することを可能にされる。その場合、時間ユニットは、スロット、ミニスロット、ＯＦＤＭシンボル、およびサブフレームのうちの１つを含む。
【０２２４】
随意に、動的シグナリングインジケーションのビットの一部または全部は、以下の意味、すなわち、ビットの一部または全部は、隣接するビットまたは隣接するビットグループに対応する第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されること、ビットの一部または全部は、具体的な第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されることであって、具体的な第１のリソースセットは、以下、すなわち、第２の通信ノードが盲目的検出を実施する必要がある第１のリソースセット、ＰＤＳＣＨ伝送をスケジューリングするためのＰＤＣＣＨが位置する第１のリソースセット、動的シグナリングインジケーションによって送信される第１のリソースセット、および第１の決定モジュールによって半静的に構成される具体的な第１のリソースセットのうちの１つであることを可能にされること、ビットの一部または全部は、他のビットまたはビットグループに対応する全ての第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの１つを示すために使用されること、ビットの一部または全部は、以下の条件、すなわち、キャリアまたは帯域幅部分のアクティブ化、キャリアまたは帯域幅部分のアクティブ化解除、およびキャリアまたは帯域幅部分のハンドオーバのうちの少なくとも１つが後続時間ユニット内で生じるかどうかを示すために使用されること、ビットの一部または全部は、後続時間ユニットによって送信される動的シグナリングインジケーションの長さが変化するかどうかを示すために使用されることのうちの少なくとも１つを示すことを可能にされる。
【０２２５】
随意に、分割は、第１のリソースセットの以下のもの、すなわち、時間ドメイン、周波数ドメイン、および空間ドメインのうちの少なくとも１つが、等しく分割されることを含み、ｎ個の等しい分割は、冗長ビットの数に従って実施されることが決定され、ｎは、正の整数であって、等しい分割が実施された後、非冗長ビットおよび冗長ビットは、ＰＤＳＣＨ伝送に対して多重化されることが可能な第１のリソースセットの等しく分割された部分、またはＰＤＳＣＨがレートマッチングを実施する必要がない等しく分割された部分をともに示し、冗長ビットは、ビットの一部または全部である。
【０２２６】
本開示の別の実施形態によると、時間周波数リソースを決定するためのデバイスがさらに、提供される。本デバイスは、第２の通信ノードに適用され、受信モジュールと、第２の決定モジュールとを含む。
【０２２７】
受信モジュールは、第１の通信ノードによって伝送される第１のリソースセットについての情報を受信するように構成され、情報は、以下、すなわち、第１のリソースセット内に含有される第２のリソースセットの時間周波数リソース、第１のリソースセット内に含有される第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを含む。
【０２２８】
第２の決定モジュールは、情報に従って、以下の構成情報、すなわち、ＰＤＳＣＨ伝送に対して多重化されることを可能にされる時間周波数リソース、およびＰＤＳＣＨ伝送がレートマッチングを実施する必要がない時間周波数リソースのうちの１つを決定するように構成され、ＰＤＳＣＨ伝送は、データがＰＤＳＣＨを通して伝送される、プロセスを含み、ＰＵＳＣＨ伝送は、データがＰＵＳＣＨを通して第１の通信ノードに伝送される、プロセスを含む。
【０２２９】
上記の実施形態１における第２の通信ノードによって実行される方法は、第２の通信ノードに適用される上記のデバイスによって実行されてもよいことを付け加えられたい。
【０２３０】
随意に、第１のリソースセットは、以下の情報、すなわち、１つ以上の完全または部分的リソースセット、１つ以上の完全または部分的ＣＯＲＥＳＥＴ、および１つ以上の具体的信号リソースまたは具体的チャネルリソースであって、以下、すなわち、基準信号リソース、同期信号リソース、およびブロードキャストチャネルリソースのうちの１つ以上のものを含む、具体的信号リソースまたは具体的チャネルリソースのうちの１つである。
【０２３１】
随意に、第２のリソースセットは、以下の情報、すなわち、１つ以上の完全または部分的ＣＯＲＥＳＥＴ、および１つ以上の具体的信号リソースまたは具体的チャネルリソースであって、以下、すなわち、基準信号リソース、同期信号リソース、およびブロードキャストチャネルリソースのうちの１つを含む、具体的信号リソースまたは具体的チャネルリソースのうちの１つを含む。
【０２３２】
随意に、動的シグナリングインジケーションは、第１のリソースセットに関する多重化またはレートマッチング動的シグナリングインジケーションであって、第１のリソースセットに関する多重化またはレートマッチング動的シグナリングインジケーションの有効時間ドメイン範囲は、以下、すなわち、第１のリソースセットがＰＤＳＣＨ伝送によって使用されるリソースに重複する、第１の盲目的検出瞬間または第１の周期構成瞬間に対応する、時間周波数リソース、第１のリソースセットがＰＤＳＣＨ伝送によって使用されるリソースに重複する、全ての盲目的検出瞬間または全ての周期構成瞬間に対応する、時間周波数リソース、第１のリソースセットがＰＤＣＣＨドメイン内のＰＤＳＣＨ伝送によって使用されるリソースに重複する、全ての盲目的検出瞬間または全ての周期構成瞬間に対応する、時間周波数リソース、
【０２３３】
第２の決定モジュールによって第１のリソースセットがＰＤＳＣＨ伝送によって使用されるリソースに重複する時間周波数リソースに実施される、盲目的検出の結果に従って決定された有効時間ドメイン範囲、第１のリソースセットがＰＤＳＣＨ伝送によって使用されるリソースに重複する、第１のサブフレームまたは第１のスロット、および第１のリソースセットがＰＤＳＣＨ伝送によって使用されるリソースに重複する、全てのサブフレームまたは全てのスロットのうちの１つであると決定される。
【０２３４】
随意に、第２の決定モジュールは、盲目的検出を実施し、第２の決定モジュールの盲目的検出の結果が、ＰＤＣＣＨに送信される第２の決定モジュールが検出されたことであるとき、本方法はさらに、第２の決定モジュールによって、第２の決定モジュールに送信される検出されたＰＤＣＣＨによって占有される時間周波数リソースの周囲でレートマッチングを実施するステップと、第２の決定モジュールに送信されるＰＤＣＣＨによって占有される時間周波数リソース以外の残りのリソースに関して、第２の決定モジュールによって、多重化またはレートマッチング動的シグナリングインジケーションが、以下の瞬間、すなわち、盲目的検出瞬間、および第１のリソースセットがＰＤＳＣＨ伝送によって使用されるリソースに重複するリソースに関して有効であることを決定するステップ、または第２の決定モジュールによって、多重化またはレートマッチング動的シグナリングインジケーションが、盲目的検出瞬間において、第１のリソースセットに関して無効であること決定するステップとを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることが禁止される、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がある。
【０２３５】
随意に、第２の決定モジュールは、盲目的検出を実施し、第２の決定モジュールの盲目的検出の結果が、第２の決定モジュールに送信されるＰＤＣＣＨが検出されないことであるとき、本方法はさらに、多重化またはレートマッチング動的シグナリングインジケーションが、盲目的検出瞬間において、第１のリソースセットに関して有効にされること、または多重化またはレートマッチング動的シグナリングインジケーションが、盲目的検出瞬間において、第１のリソースセットに関して無効であることを含み、盲目的検出瞬間において、第１のリソースセットがＰＤＳＣＨ伝送によって使用されるリソースに重複する時間周波数リソースの全部または一部は、ＰＤＳＣＨ伝送に対して多重化されることを可能にされる、または盲目的検出瞬間において、ＰＤＳＣＨ伝送は、第１のリソースセットがＰＤＳＣＨ伝送によって使用されるリソースに重複する時間周波数リソースの全部または一部の周囲でレートマッチングを実施する必要がない。
【０２３６】
上記に説明される種々のモジュールは、ソフトウェアまたはハードウェアによって実装されてもよいことに留意されたい。ハードウェアによる実装は、以下の様式において実施されてもよい、すなわち、上記に説明される種々のモジュールは、同一プロセッサ内に位置する、または上記に説明される種々のモジュールは、任意の組み合わせ形態において、異なるプロセッサ内に位置するが必ずしも、そうとは限らない。
【０２３７】
実施形態１９
【０２３８】
本開示の別の実施形態によると、基地局がさらに、提供される。基地局は、第１のプロセッサと、第１の通信デバイスとを含む。
【０２３９】
第１のプロセッサは、第２の通信ノードに関する第１のリソースセットについての以下の情報、すなわち、第１のリソースセット内に含有される第２のリソースセットの時間周波数リソース、第１のリソースセット内に含有される第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定するように構成される。
【０２４０】
第１の通信デバイスは、情報を第２の通信ノードに伝送するように構成され、ＰＤＳＣＨ伝送は、データがＰＤＳＣＨを通して第２の通信ノードに伝送される、プロセスを含み、ＰＵＳＣＨ伝送は、第２の通信ノードが、データをＰＵＳＣＨを通して第１の通信ノードに伝送する、プロセスを含む。
【０２４１】
上記の実施形態１および２における第１の通信ノードによって実行される実施形態は、上記の基地局によって実行されてもよいことを付け加えられたい。
【０２４２】
本開示の別の実施形態によると、端末がさらに、提供される。端末は、第２の通信デバイスと、第２のプロセッサとを含む。
【０２４３】
第２の通信デバイスは、第１の通信ノードによって伝送される第１のリソースセットについての情報を受信するように構成され、情報は、以下、すなわち、第１のリソースセット内に含有される第２のリソースセットの時間周波数リソース、第１のリソースセット内に含有される第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを含む。
【０２４４】
第２のプロセッサは、情報に従って、以下の構成情報、すなわち、ＰＤＳＣＨ伝送に対して多重化されることを可能にされる時間周波数リソース、およびＰＤＳＣＨ伝送がレートマッチングを実施する必要がない時間周波数リソースのうちの１つを決定するように構成される。その場合、ＰＤＳＣＨ伝送は、ＰＤＳＣＨを通したデータ伝送のプロセスを含み、ＰＵＳＣＨ伝送は、ＰＵＳＣＨを通したデータ伝送のプロセスを含む。
【０２４５】
上記の実施形態１および２における第２の通信ノードによって実行される実施形態は、上記の端末によって実行されてもよいことを付け加えられたい。
【０２４６】
実施形態２０
【０２４７】
本開示の別の実施形態によると、プロセッサがさらに、提供される。プロセッサは、実行されると、上記に説明される実施形態のいずれか１つに記載の方法を実施する、プログラムを実行するように構成される。
【０２４８】
実施形態２１
【０２４９】
本開示の別の実施形態によると、記憶媒体がさらに、提供される。記憶媒体は、実行されると、上記に説明される実施形態のいずれか１つに記載の方法を実施する、記憶されたプログラムを含む。
【０２５０】
明らかなこととして、上記に説明される本開示のモジュールまたはステップはそれぞれ、汎用コンピューティング装置によって実装されてもよく、モジュールまたはステップは、単一コンピューティング装置上に集中される、または複数のコンピューティング装置から成るネットワーク上に分散されてもよく、代替として、モジュールまたはステップは、モジュールまたはステップが、記憶装置装置内に記憶され、コンピューティング装置によって実行され得るようにコンピューティング装置によって実行可能なプログラムコードによって実装されてもよいことが、当業者によって理解されるであろう。いくつかの状況では、図示または説明されるステップは、本明細書に説明されるものと異なるシーケンスにおいて実行されてもよい、またはモジュールまたはステップは、種々の集積回路モジュールの中に別個に作製されてもよい、またはその中の複数のモジュールまたはステップは、実装のために、単一集積回路モジュールの中に作製されてもよい。このように、本開示は、ハードウェアおよびソフトウェアの任意の具体的組み合わせに限定されない。
【０２５１】
上記は、本開示の例示的実施形態にすぎず、本開示を限定することを意図するものではなく、当業者にとって、本開示は、種々の修正および変形例を有し得る。本開示の精神および原理内で行われる、任意の修正、均等物代用、改良、および同等物は、本開示の範囲内である。
【図１】
2021500779.tif 000003
【図２】
2021500779.tif 000004
【図３】
2021500779.tif 000005
【図４】
2021500779.tif 000006
【図５】
2021500779.tif 000007
【図６】
2021500779.tif 000008
【図７】
2021500779.tif 000009
【図８】
2021500779.tif 000010
【図９】
2021500779.tif 000011
【図１０】
2021500779.tif 000012
【図１１】
2021500779.tif 000013
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
時間周波数リソースを決定するための方法であって、
第２の通信ノードによって、第１の通信ノードによって伝送される第１のリソースセットについての情報を受信することであって、前記情報は、前記第１のリソースセット内に含まれる第２のリソースセットの時間周波数リソースと、前記第１のリソースセット内に含まれる前記第２のリソースセットの構成情報と、前記第１のリソースセットの時間周波数リソース構成情報と、物理ダウンリンク共有チャネル（ＰＤＳＣＨ）伝送がレートマッチングを実施するべきであるかどうかを示すための動的シグナリングインジケーションとを含む、ことと、
前記情報に従って、前記ＰＤＳＣＨ伝送がレートマッチングを実施するべきである時間周波数リソースを決定することと
を含み、
前記第１のリソースセットは、１つ以上のリソースセットまたは１つ以上の制御リソースセット（ＣＯＲＥＳＥＴ）を備え、
前記動的シグナリングインジケーションは、前記第１のリソースセットに関するレートマッチング動的シグナリングインジケーションを備え、前記第１のリソースセットに関する前記レートマッチング動的シグナリングインジケーションの有効時間ドメイン範囲は、前記第１のリソースセットが前記ＰＤＳＣＨ伝送によって使用されるリソースと重複される全てのスロットを含む、方法。
【請求項２】
前記第１のリソースセットは、時間ドメインリソースユニット内の時間ドメインリソースの少なくとも一部から周期的に構成されている、請求項１に記載の方法。
【請求項３】
前記第１のリソースセットに関する前記レートマッチング動的シグナリングインジケーションの前記有効時間ドメイン範囲は、全ての盲目的検出瞬間に対応する時間周波数リソースに従って決定される、請求項１に記載の方法。
【請求項４】
重複が複数の第１のリソースセットの時間周波数リソース内で生じると、前記ＰＤＳＣＨ伝送が前記重複されるリソースの周囲においてレートマッチングを実施するべきであるかどうかは、
ＡＮＤ演算またはＯＲ演算を、前記重複が前記時間周波数リソース内で生じる複数の第１のリソースセットの全ての動的シグナリングインジケーションに実施することと、
前記ＡＮＤ演算または前記ＯＲ演算の結果に従って、前記ＰＤＳＣＨ伝送が前記重複される時間周波数リソースの周囲においてレートマッチングを実施するべきであるかどうかを決定することと
によって決定される、請求項１に記載の方法。
【請求項５】
前記動的シグナリングの少なくとも一部ビットは、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、隣接するビットまたは隣接するビットグループに対応する前記第１のリソースセットの情報と、
時間ドメイン分割が実施された後のレートマッチングの状況、周波数ドメイン分割が実施された後のレートマッチングの状況、および空間ドメイン分割が実施された後のレートマッチングの状況のうちの少なくとも１つを備える、前記第２の通信ノードが盲目的検出を実施するべきである前記第１のリソースセットの情報、前記ＰＤＳＣＨ伝送をスケジューリングするための物理ダウンリンク制御チャネル（ＰＤＣＣＨ）が位置する前記第１のリソースセットの情報、前記動的シグナリングインジケーションによって送信される前記第１のリソースセットの情報、または前記第１の通信ノードによって半静的に構成される前記第１のリソースセットの情報と、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、他のビットまたはビットグループに対応する全ての第１のリソースセットの情報と
のうちの少なくとも１つを示し、
以下：キャリアまたは帯域幅部分のアクティブ化、キャリアまたは帯域幅部分のアクティブ化解除、もしくはキャリアまたは帯域幅部分のハンドオーバのうちの少なくとも１つは、後続時間ユニットにおいて生じ、
後続時間ユニットによって送信される動的シグナリングインジケーションの長さは、変化する、請求項１に記載の方法。
【請求項６】
時間周波数リソースを決定するための方法であって、
第１の通信ノードによって、第１のリソースセットについての情報を決定することであって、前記情報は、前記第１のリソースセット内に含まれる第２のリソースセットの時間周波数リソースと、前記第１のリソースセット内に含まれる前記第２のリソースセットの構成情報と、前記第１のリソースセットの時間周波数リソース構成情報と、物理ダウンリンク共有チャネル（ＰＤＳＣＨ）伝送がレートマッチングを実施するべきであるかどうかを示すための動的シグナリングインジケーションとを含む、ことと、
第２の通信ノードに、前記ＰＤＳＣＨ伝送がレートマッチングを実施するべきである時間周波数リソースを決定させるために、前記第１の通信ノードによって、前記情報を前記第２の通信ノードに伝送することと
を含み、
前記第１のリソースセットは、１つ以上のリソースセットまたは１つ以上の制御リソースセット（ＣＯＲＥＳＥＴ）を備え、
前記動的シグナリングインジケーションは、前記第１のリソースセットに関するレートマッチング動的シグナリングインジケーションを備え、前記第１のリソースセットに関する前記レートマッチング動的シグナリングインジケーションの有効時間ドメイン範囲は、前記第１のリソースセットが前記ＰＤＳＣＨ伝送によって使用されるリソースと重複される全てのスロットを含む、方法。
【請求項７】
前記第１のリソースセットは、時間ドメインリソースユニット内の時間ドメインリソースの少なくとも一部から周期的に構成されている、請求項６に記載の方法。
【請求項８】
前記第１のリソースセットに関する前記レートマッチング動的シグナリングインジケーションの前記有効時間ドメイン範囲は、全ての盲目的検出瞬間に対応する時間周波数リソースに従って決定される、請求項６に記載の方法。
【請求項９】
重複が複数の第１のリソースセットの時間周波数リソース内で生じると、前記ＰＤＳＣＨ伝送が前記重複されるリソースの周囲においてレートマッチングを実施するべきであるかどうかは、
ＡＮＤ演算またはＯＲ演算を、前記重複が前記時間周波数リソース内で生じる複数の第１のリソースセットの全ての動的シグナリングインジケーションに実施することと、
前記ＡＮＤ演算または前記ＯＲ演算の結果に従って、前記ＰＤＳＣＨ伝送が前記重複される時間周波数リソースの周囲においてレートマッチングを実施するべきであるかどうかを決定することと
によって決定される、請求項６に記載の方法。
【請求項１０】
前記動的シグナリングの少なくとも一部ビットは、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、隣接するビットまたは隣接するビットグループに対応する前記第１のリソースセットの情報と、
時間ドメイン分割が実施された後のレートマッチングの状況、周波数ドメイン分割が実施された後のレートマッチングの状況、および空間ドメイン分割が実施された後のレートマッチングの状況のうちの少なくとも１つを備える、前記第２の通信ノードが盲目的検出を実施するべきである前記第１のリソースセットの情報、前記ＰＤＳＣＨ伝送をスケジューリングするための物理ダウンリンク制御チャネル（ＰＤＣＣＨ）が位置する前記第１のリソースセットの情報、前記動的シグナリングインジケーションによって送信される前記第１のリソースセットの情報、または前記第１の通信ノードによって半静的に構成される前記第１のリソースセットの情報と、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、他のビットまたはビットグループに対応する全ての第１のリソースセットの情報と
のうちの少なくとも１つを示し、
以下：キャリアまたは帯域幅部分のアクティブ化、キャリアまたは帯域幅部分のアクティブ化解除、もしくはキャリアまたは帯域幅部分のハンドオーバのうちの少なくとも１つは、後続時間ユニットにおいて生じ、
後続時間ユニットによって送信される動的シグナリングインジケーションの長さは、変化する、請求項６に記載の方法。
【請求項１１】
デバイスであって、
少なくとも１つのプロセッサを備え、
前記少なくとも１つのプロセッサは、
通信ノードによって伝送される第１のリソースセットについての情報を受信することであって、前記情報は、前記第１のリソースセット内に含まれる第２のリソースセットの時間周波数リソースと、前記第１のリソースセット内に含まれる前記第２のリソースセットの構成情報と、前記第１のリソースセットの時間周波数リソース構成情報と、物理ダウンリンク共有チャネル（ＰＤＳＣＨ）伝送がレートマッチングを実施するべきであるかどうかを示すための動的シグナリングインジケーションとを含む、ことと、
前記情報に従って、前記ＰＤＳＣＨ伝送がレートマッチングを実施するべきである時間周波数リソースを決定することと
を行うように構成され、
前記第１のリソースセットは、１つ以上のリソースセットまたは１つ以上の制御リソースセット（ＣＯＲＥＳＥＴ）を備え、
前記動的シグナリングインジケーションは、前記第１のリソースセットに関するレートマッチング動的シグナリングインジケーションを備え、前記第１のリソースセットに関する前記レートマッチング動的シグナリングインジケーションの有効時間ドメイン範囲は、前記第１のリソースセットが前記ＰＤＳＣＨ伝送によって使用されるリソースと重複される全てのスロットを含む、デバイス。
【請求項１２】
前記第１のリソースセットは、時間ドメインリソースユニット内の時間ドメインリソースの少なくとも一部から周期的に構成されている、請求項１１に記載のデバイス。
【請求項１３】
前記第１のリソースセットに関する前記レートマッチング動的シグナリングインジケーションの前記有効時間ドメイン範囲は、全ての盲目的検出瞬間に対応する時間周波数リソースに従って決定される、請求項１１に記載のデバイス。
【請求項１４】
重複が複数の第１のリソースセットの時間周波数リソース内で生じると、前記ＰＤＳＣＨ伝送が前記重複されるリソースの周囲においてレートマッチングを実施するべきであるかどうかは、
ＡＮＤ演算またはＯＲ演算を、前記重複が前記時間周波数リソース内で生じる複数の第１のリソースセットの全ての動的シグナリングインジケーションに実施することと、
前記ＡＮＤ演算または前記ＯＲ演算の結果に従って、前記ＰＤＳＣＨ伝送が前記重複される時間周波数リソースの周囲においてレートマッチングを実施するべきであるかどうかを決定することと
によって決定される、請求項１１に記載のデバイス。
【請求項１５】
前記動的シグナリングの少なくとも一部ビットは、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、隣接するビットまたは隣接するビットグループに対応する前記第１のリソースセットの情報と、
時間ドメイン分割が実施された後のレートマッチングの状況、周波数ドメイン分割が実施された後のレートマッチングの状況、および空間ドメイン分割が実施された後のレートマッチングの状況のうちの少なくとも１つを備える、第２の通信ノードが盲目的検出を実施するべきである前記第１のリソースセットの情報、前記ＰＤＳＣＨ伝送をスケジューリングするための物理ダウンリンク制御チャネル（ＰＤＣＣＨ）が位置する前記第１のリソースセットの情報、前記動的シグナリングインジケーションによって送信される前記第１のリソースセットの情報、または第１の通信ノードによって半静的に構成される前記第１のリソースセットの情報と、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、他のビットまたはビットグループに対応する全ての第１のリソースセットの情報と
のうちの少なくとも１つを示し、
以下：キャリアまたは帯域幅部分のアクティブ化、キャリアまたは帯域幅部分のアクティブ化解除、もしくはキャリアまたは帯域幅部分のハンドオーバのうちの少なくとも１つは、後続時間ユニットにおいて生じ、
後続時間ユニットによって送信される動的シグナリングインジケーションの長さは、変化する、請求項１１に記載のデバイス。
【請求項１６】
デバイスであって、
少なくとも１つのプロセッサを備え、
前記少なくとも１つのプロセッサは、
第１のリソースセットについての情報を決定することであって、前記情報は、前記第１のリソースセット内に含まれる第２のリソースセットの時間周波数リソースと、前記第１のリソースセット内に含まれる前記第２のリソースセットの構成情報と、前記第１のリソースセットの時間周波数リソース構成情報と、物理ダウンリンク共有チャネル（ＰＤＳＣＨ）伝送がレートマッチングを実施するべきであるかどうかを示すための動的シグナリングインジケーションとを含む、ことと、
通信ノードに、前記ＰＤＳＣＨ伝送がレートマッチングを実施するべきである時間周波数リソースを決定させるために、前記情報を前記通信ノードに伝送することと
を行うように構成され、
前記第１のリソースセットは、１つ以上のリソースセットまたは１つ以上の制御リソースセット（ＣＯＲＥＳＥＴ）を備え、
前記動的シグナリングインジケーションは、前記第１のリソースセットに関するレートマッチング動的シグナリングインジケーションを備え、前記第１のリソースセットに関する前記レートマッチング動的シグナリングインジケーションの有効時間ドメイン範囲は、前記第１のリソースセットが前記ＰＤＳＣＨ伝送によって使用されるリソースと重複される全てのスロットを含む、デバイス。
【請求項１７】
前記第１のリソースセットは、時間ドメインリソースユニット内の時間ドメインリソースの少なくとも一部から周期的に構成されている、請求項１６に記載のデバイス。
【請求項１８】
前記第１のリソースセットに関する前記レートマッチング動的シグナリングインジケーションの前記有効時間ドメイン範囲は、全ての盲目的検出瞬間に対応する時間周波数リソースに従って決定される、請求項１６に記載のデバイス。
【請求項１９】
重複が複数の第１のリソースセットの時間周波数リソース内で生じると、前記ＰＤＳＣＨ伝送が前記重複されるリソースの周囲においてレートマッチングを実施するべきであるかどうかは、
ＡＮＤ演算またはＯＲ演算を、前記重複が前記時間周波数リソース内で生じる複数の第１のリソースセットの全ての動的シグナリングインジケーションに実施することと、
前記ＡＮＤ演算または前記ＯＲ演算の結果に従って、前記ＰＤＳＣＨ伝送が前記重複される時間周波数リソースの周囲においてレートマッチングを実施するべきであるかどうかを決定することと
によって決定される、請求項１６に記載のデバイス。
【請求項２０】
前記動的シグナリングの少なくとも一部ビットは、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、隣接するビットまたは隣接するビットグループに対応する前記第１のリソースセットの情報と、
時間ドメイン分割が実施された後のレートマッチングの状況、周波数ドメイン分割が実施された後のレートマッチングの状況、および空間ドメイン分割が実施された後のレートマッチングの状況のうちの少なくとも１つを備える、第２の通信ノードが盲目的検出を実施するべきである前記第１のリソースセットの情報、前記ＰＤＳＣＨ伝送をスケジューリングするための物理ダウンリンク制御チャネル（ＰＤＣＣＨ）が位置する前記第１のリソースセットの情報、前記動的シグナリングインジケーションによって送信される前記第１のリソースセットの情報、または第１の通信ノードによって半静的に構成される前記第１のリソースセットの情報と、
時間ドメイン分割が実施された後のレートマッチングの状況、周波数ドメイン分割が実施された後のレートマッチングの状況、または空間ドメイン分割が実施された後のレートマッチングの状況のうちの少なくとも１つを備える、他のビットまたはビットグループに対応する全ての第１のリソースセットの情報と
のうちの少なくとも１つを示し、
以下：キャリアまたは帯域幅部分のアクティブ化、キャリアまたは帯域幅部分のアクティブ化解除、もしくはキャリアまたは帯域幅部分のハンドオーバのうちの少なくとも１つは、後続時間ユニットにおいて生じ、
後続時間ユニットによって送信される動的シグナリングインジケーションの長さは、変化する、請求項１６に記載のデバイス。
【手続補正２】
【補正対象書類名】明細書
【補正対象項目名】００４４
【補正方法】変更
【補正の内容】
【００４４】
本開示を通して、第１の決定モジュールは、第２の通信ノードに関する第１のリソースセットについての以下の情報、すなわち、第１のリソースセット内に含まれる第２のリソースセットの時間周波数リソース、第１のリソースセット内に含まれる第２のリソースセットの構成情報、第１のリソースセットの時間周波数リソース構成情報、および第１のリソースセットがＰＤＳＣＨ伝送またはＰＵＳＣＨ伝送に対して多重化されるかどうか、またはＰＤＳＣＨ伝送またはＰＵＳＣＨ伝送がレートマッチングを実施する必要があるかどうかを示すために使用される、動的シグナリングインジケーションのうちの少なくとも１つを決定し、情報が決定された後、情報は、第２の通信ノードに伝送され、第２の通信ノードは、情報に従って、ＰＤＳＣＨ伝送またはＰＵＳＣＨ伝送の間に使用される時間周波数リソースを決定する。上記の技術的ソリューションは、ＰＤＳＣＨ伝送またはＰＵＳＣＨ伝送の間に使用される時間周波数リソースをユーザに示し、ＰＤＳＣＨ伝送またはＰＵＳＣＨ伝送の間に使用される時間周波数リソースのインジケーションを実装する方法の関連技術分野における問題を解決する。
本願明細書は、例えば、以下の項目も提供する。
（項目１）
時間周波数リソースを決定するための方法であって、
第１の通信ノードによって、第２の通信ノードに関する第１のリソースセットについての以下の情報、すなわち、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを決定することと、
前記情報を前記第２の通信ノードに伝送することであって、前記ＰＤＳＣＨ伝送は、前記第１の通信ノードがＰＤＳＣＨを通してデータを前記第２の通信ノードに伝送するプロセスを含み、前記ＰＵＳＣＨ伝送は、前記第２の通信ノードがＰＵＳＣＨを通してデータを前記第１の通信ノードに伝送するプロセスを含む、ことと
を含む、方法。
（項目２）
前記第１のリソースセットは、以下の情報、すなわち、
１つ以上のリソースセットまたはアップリンク制御チャネルリソースまたはアップリンク予約リソース、または、完全または部分的リソースセットまたはアップリンク制御チャネルリソースまたはアップリンク予約リソース、
１つ以上の制御リソースセット（ＣＯＲＥＳＥＴ）またはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、１つ以上の具体的信号リソースまたは具体的チャネルリソース
のうちの１つである、項目１に記載の方法。
（項目３）
前記第２のリソースセットは、以下の情報、すなわち、
１つ以上のＣＯＲＥＳＥＴまたはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、以下、すなわち、基準信号時間ドメインリソース、基準信号周波数ドメインリソース、同期信号時間ドメインリソース、同期信号周波数ドメインリソース、ブロードキャストチャネル時間ドメインリソース、およびブロードキャストチャネル周波数ドメインリソースのうちの１つ以上のものを含む、１つ以上の具体的信号リソースまたは具体的チャネルリソース
のうちの１つを含む、項目１に記載の方法。
（項目４）
前記第１の通信ノードによって、前記第２の通信ノードに関する１つ以上の第１のリソースセットを構成すること
をさらに含み、
複数の構成される第１のリソースセットの時間周波数リソースに関して、前記複数の構成される第１のリソースセットのうちの任意の１つの構成される第１のリソースセットの時間周波数リソースは、前記複数の構成される第１のリソースセットの別の構成される第１のリソースセットの時間周波数リソースと部分的または完全に重複されることが禁止される、項目１に記載の方法。
（項目５）
複数の第１のリソースセットが第１の通信ノードによって前記第２の通信ノードに関して構成される条件下において、前記第１の通信ノードによって、前記複数の第１のリソースセットの一部または全部に関する優先順位を構成する、項目１に記載の方法。
（項目６）
重複が、前記複数の第１のリソースセットの時間周波数リソース内で生じるとき、重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかが、以下の様式、すなわち、
より高い優先順位を有する第１のリソースセットの動的シグナリングインジケーションに従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかを決定すること
を通して決定される、項目５に記載の方法。
（項目７）
前記第２の通信ノードに関する前記第１のリソースセットは、
時間ドメインリソースユニット内の時間ドメインリソースの一部が、前記第１のリソースセットとして構成されること、
周波数ドメインリソースユニット内の周波数ドメインリソースの一部が、前記第１のリソースセットとして構成されること
のうちの１つを含む、項目１に記載の方法。
（項目８）
前記第２の通信ノードに関する前記第１のリソースセットは、
時間ドメインでは、時間ドメインリソースユニット内の時間ドメインリソースの一部が、前記第１のリソースセットとして周期的に構成されること、
前記時間ドメインリソースユニットは、偏移されること、
周波数ドメインでは、指定されるサブキャリア範囲内の周波数ドメインリソースユニット内の周波数ドメインリソースの一部が、前記第１のリソースセットとして構成されること、
前記周波数ドメインでは、指定される帯域幅範囲内の周波数ドメインリソースユニット内の周波数ドメインリソースの一部が、前記第１のリソースセットとして構成されること
のうちの少なくとも１つを含む、項目１に記載の方法。
（項目９）
重複が、複数の第１のリソースセットの時間周波数リソース内で生じると、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかが、以下の様式、すなわち、
ＡＮＤ演算またはＯＲ演算を、前記重複が前記時間周波数リソース内で生じる前記複数の第１のリソースセットの全ての動的シグナリングインジケーションに実施することと、
前記ＡＮＤ演算または前記ＯＲ演算の結果に従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースの周囲においてレートマッチングを実施する必要があるかどうかを決定することと
を通して決定される、項目１に記載の方法。
（項目１０）
前記情報は、以下の通り合意される、すなわち、１に設定される前記動的シグナリングインジケーションは、前記対応する第１のリソースセットの全部または一部が前記ＰＤＳＣＨ伝送または前記ＰＵＳＣＨ伝送に対して多重化されることを可能にされること、または前記ＰＤＳＣＨ伝送または前記ＰＵＳＣＨ伝送が前記対応する第１のリソースセット内のリソースの全部または一部においてレートマッチングを実施する必要がないことを示すと合意され、０に設定される前記動的シグナリングインジケーションは、前記対応する第１のリソースセットの全部または一部が前記ＰＤＳＣＨ伝送または前記ＰＵＳＣＨ伝送に対して多重化されることを禁止されること、または前記ＰＤＳＣＨ伝送または前記ＰＵＳＣＨ伝送が前記対応する第１のリソースセット内のリソースの全部または一部においてレートマッチングを実施する必要があることを示すと合意され、
前記ＡＮＤ演算または前記ＯＲ演算を、前記重複が前記時間周波数リソース内で生じる前記複数の第１のリソースセットの全ての動的シグナリングインジケーションに実施すること、および前記ＡＮＤ演算または前記ＯＲ演算の結果に従った決定は、
前記ＯＲ演算を、前記重複が前記時間周波数リソース内で生じる前記複数の第１のリソースセットの動的シグナリングインジケーションに実施することと、
前記ＯＲ演算の結果に従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースにおいてレートマッチングを実施する必要があるかどうかを決定することと
を含む、項目９に記載の方法。
（項目１１）
１に設定される前記動的シグナリングインジケーションは、前記対応する第１のリソースセットの全部または一部が前記ＰＤＳＣＨ伝送または前記ＰＵＳＣＨ伝送に対して多重化されることを禁止されること、または前記ＰＤＳＣＨ伝送または前記ＰＵＳＣＨ伝送が前記対応する第１のリソースセット内の時間周波数リソースの全部または一部の周囲でレートマッチングを実施する必要があることを示すと合意され、０に設定される前記動的シグナリングインジケーションは、前記対応する第１のリソースセットの全部または一部が前記ＰＤＳＣＨ伝送または前記ＰＵＳＣＨ伝送に対して多重化されることを可能にされること、または前記ＰＤＳＣＨ伝送または前記ＰＵＳＣＨ伝送が前記対応する第１のリソースセット内の時間周波数リソースの全部または一部の周囲でレートマッチングを実施する必要がないことを示すと合意される条件下では、前記方法はさらに、
前記ＡＮＤ演算を、前記重複が前記時間周波数リソース内で生じる前記複数の第１のリソースセットの動的シグナリングインジケーションに実施することと、
前記ＡＮＤ演算の結果に従って、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースにおいてレートマッチングを実施する必要があるかどうかを決定することと
を含む、項目９に記載の方法。
（項目１２）
重複が、複数の第１のリソースセットの時間周波数リソース内で生じると、前記第１のリソースセットの異なるタイプに関して、以下の情報、すなわち、前記重複される時間周波数リソースが前記ＰＤＳＣＨ伝送または前記ＰＵＳＣＨ伝送に対して多重化されることを可能にされるかどうか、または前記ＰＤＳＣＨ伝送または前記ＰＵＳＣＨ伝送が前記重複される時間周波数リソースにおいてレートマッチングを実施する必要があるかどうかについての情報が、異なる様式を通して決定され、
前記第１のリソースセットの異なるタイプは、以下、すなわち、異なる時間周波数リソース構成様式、異なる時間周波数リソース構成範囲、異なる時間周波数リソース構成粒度、および異なる時間周波数リソース構成優先順位のうちの１つを含む、項目１に記載の方法。
（項目１３）
前記第１のリソースセットが、複数の第２のリソースセットを含む、または前記複数の第２のリソースセットの均等物であるとき、同一の第１のリソースセット内に含まれる前記複数の第２のリソースセットは、以下の特性、すなわち、
前記複数の第２のリソースセット内の前記第２の通信ノードの盲目的検出瞬間構成または盲目的検出周期構成が、同一であること、
前記複数の第２のリソースセットの前記盲目的検出瞬間構成または前記盲目的検出周期構成は、同一レベルを有し、スロットレベルであり、前記スロットレベルである前記複数の第２のリソースセットの前記盲目的検出瞬間構成または前記盲目的検出周期構成のレベルは、前記盲目的検出瞬間構成のそれぞれまたは前記周期構成のそれぞれが、１つのスロットであること、または前記盲目的検出瞬間構成のそれぞれまたは前記周期構成のそれぞれが、複数のスロットのインターバルにあることのうちの１つを示すように構成されること、
前記複数の第２のリソースセットの前記盲目的検出瞬間構成または前記盲目的検出周期構成は、同一レベルを有し、ミニスロットレベルであり、前記ミニスロットレベルである前記複数の第２のリソースセットの前記盲目的検出瞬間構成または前記盲目的検出周期構成のレベルは、前記盲目的検出瞬間構成のそれぞれまたは前記周期構成のそれぞれが、１つのミニスロットであること、および前記盲目的検出瞬間構成のそれぞれまたは前記周期構成のそれぞれが、複数のミニスロットのインターバルにあることのうちの１つを示すように構成されること、
前記複数の第２のリソースセットの前記盲目的検出瞬間構成または前記盲目的検出周期構成は、同一レベルを有し、直交周波数分割多重化（ＯＦＤＭ）シンボルレベルであり、前記ＯＦＤＭシンボルレベルである前記複数の第２のリソースセットの前記盲目的検出瞬間構成または前記盲目的検出周期構成のレベルは、前記盲目的検出瞬間構成のそれぞれまたは前記周期構成のそれぞれが、１つのＯＦＤＭシンボルであること、および前記盲目的検出瞬間構成のそれぞれまたは前記周期構成のそれぞれが、複数のＯＦＤＭシンボルのインターバルにあることのうちの１つを示すように構成されること、
前記複数の第２のリソースセットの前記盲目的検出瞬間構成または前記盲目的検出周期構成は、含有関係を満たす必要があり、前記含有関係は、疎らな回数の盲目的検出または疎らな周期の構成を有する第２のリソースセット、および集約的回数の盲目的検出または集約的周期構成を有する第２のリソースセットに関して、前者の盲目的検出瞬間または周期構成が、後者の盲目的検出瞬間または周期構成のサブセットであるというものであること、
固定時間ユニット内の前記複数の第２のリソースセットの前記盲目的検出瞬間構成または前記盲目的検出周期構成の発生回数は、同一であり、前記固定時間ユニットは、無線フレーム、サブフレーム、スロット、スロットの物理ダウンリンク制御チャネル（ＰＤＣＣＨ）ドメインまたはアップリンク制御チャネル範囲、またはスロットの固定場所におけるいくつかのＯＦＤＭシンボルの固定数のうちの１つを含むこと
のうちの少なくとも１つを満たす必要がある、項目１に記載の方法。
（項目１４）
前記動的シグナリングインジケーションは、前記第１のリソースセットに関する多重化またはレートマッチング動的シグナリングインジケーションであり、前記第１のリソースセットに関する多重化またはレートマッチング動的シグナリングインジケーションの有効時間ドメイン範囲は、
前記第１のリソースセットが前記ＰＤＳＣＨまたは前記ＰＵＳＣＨの伝送によって使用されるリソースと重複されるときの第１の盲目的検出瞬間または第１の周期構成瞬間に対応する時間周波数リソース、
前記第１のリソースセットが前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットがＰＤＣＣＨドメインまたはアップリンク制御チャネルリソース範囲内の前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットが前記ＰＤＳＣＨまたは前記ＰＵＳＣＨの伝送によって使用されるリソースと重複されるときの前記第２の通信ノードによって時間周波数リソースにおいて実施される盲目的検出の結果に従って決定された有効時間ドメイン範囲、
前記第１のリソースセットが前記ＰＤＳＣＨまたは前記ＰＵＳＣＨの伝送によって使用されるリソースと重複されるときの第１のサブフレームまたは第１のスロット、および
前記第１のリソースセットが前記ＰＤＳＣＨまたは前記ＰＵＳＣＨの伝送によって使用されるリソースと重複されるときの全てのサブフレームまたは全てのスロット
のうちの１つであると決定される、項目１に記載の方法。
（項目１５）
前記ＰＤＣＣＨドメインまたは前記アップリンク制御チャネルリソース範囲は、以下のレベル、すなわち、サブフレームレベル、スロットレベル、ミニスロットレベル、およびＯＦＤＭシンボルレベルのうちの１つであることを可能にされ、
前記ＰＤＣＣＨドメインまたは前記アップリンク制御チャネルリソース範囲が前記サブフレームレベルであることの決定に応答して、前記ＰＤＣＣＨドメインまたは前記アップリンク制御チャネルリソース範囲は、サブフレームの第１のいくつかのＯＦＤＭシンボルであり、
前記ＰＤＣＣＨドメインまたは前記アップリンク制御チャネルリソース範囲が前記スロットレベルであることの決定に応答して、前記ＰＤＣＣＨドメインまたは前記アップリンク制御チャネルリソース範囲は、スロットの第１のいくつかのＯＦＤＭシンボルであり、
前記ＰＤＣＣＨドメインまたは前記アップリンク制御チャネルリソース範囲が前記ミニスロットレベルであることの決定に応答して、前記ＰＤＣＣＨドメインまたは前記アップリンク制御チャネルリソース範囲は、ミニスロットの第１のいくつかのＯＦＤＭシンボルまたはスロットの固定場所におけるいくつかのＯＦＤＭシンボルであり、
前記ＰＤＣＣＨドメインまたは前記アップリンク制御チャネルリソース範囲が前記ＯＦＤＭシンボルレベルであることの決定に応答して、前記ＰＤＣＣＨドメインまたは前記アップリンク制御チャネルリソース範囲は、事前に設定された固定場所におけるＯＦＤＭシンボルである、
項目１４に記載の方法。
（項目１６）
前記第２の通信ノードの前記盲目的検出の結果が、前記第２の通信ノードに送信されたＰＤＣＣＨが検出されたことであるとき、前記方法はさらに、
前記第２の通信ノードによって、レートマッチングを前記第２の通信ノードに送信された検出されたＰＤＣＣＨによって占有される時間周波数リソースの周囲において実施し、残りのリソースに関して、前記第２の通信ノードに送信されたＰＤＣＣＨによって占有される時間周波数リソースを除外することであって、前記多重化またはレートマッチング動的シグナリングインジケーションは、以下の瞬間、すなわち、前記盲目的検出瞬間、および前記第１のリソースセットが前記ＰＤＳＣＨ伝送によって使用されるリソースに重複するリソースに関して有効にされる、または前記多重化またはレートマッチング動的シグナリングインジケーションは、前記盲目的検出瞬間において、前記第１のリソースセットに関して無効である、こと
を含み、
前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることが禁止される、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がある、項目１４に記載の方法。
（項目１７）
前記第２の通信ノードの前記盲目的検出の結果が、前記第２の通信ノードに送信されたＰＤＣＣＨが検出されないことであるとき、前記方法はさらに、
前記多重化またはレートマッチング動的シグナリングインジケーションは、前記第１のリソースセットに関して前記盲目的検出瞬間において有効であること、または
前記多重化またはレートマッチング動的シグナリングインジケーションは、前記盲目的検出瞬間において前記第１のリソースセットに関して無効であること
を含み、
前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることを可能にされる、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がない、項目１４に記載の方法。
（項目１８）
前記第１の通信ノードによって、前記動的シグナリングインジケーションをアクティブ化または非アクティブ化するための動的インジケーションを前記第２の通信ノードに送信することをさらに含む、項目１に記載の方法。
（項目１９）
前記第１の通信ノードによって、前記第２の通信ノードに関する前記第１のリソースセットについての以下の情報、すなわち、前記第１のリソースセットがＰＤＳＣＨ伝送またはＰＵＳＣＨ伝送に対して多重化されるかどうか、または前記ＰＤＳＣＨ伝送または前記ＰＵＳＣＨ伝送がレートマッチングを実施する必要があるかどうかを示すための動的シグナリングインジケーションを決定することと、
前記第１の通信ノードによって、実行される前記第２の通信ノードに関する前記第１のリソースセットについての情報を決定後、前記第１の通信ノードによって、前記第２の通信ノードに、第１のリソースセットまたは第１のリソースセットのグループに関する１つ以上の動的シグナリングインジケーションを送信することと
をさらに含む、項目１に記載の方法。
（項目２０）
以下の様式、すなわち、半静的構成様式および動的決定様式のうちの１つを通して、前記動的シグナリングインジケーションに対応する第１のリソースセットを決定すること
をさらに含み、
前記動的シグナリングインジケーションは、異なる時間ユニット内の異なる第１のリソースセットに対応することを可能にされる、または異なる時間ユニット内の異なる数の第１のリソースセットに対応することを可能にされ、
前記時間ユニットはそれぞれ、スロット、ミニスロット、ＯＦＤＭシンボル、およびサブフレームのうちの１つを含む、項目１に記載の方法。
（項目２１）
前記動的シグナリングインジケーションのビットの一部または全部は、以下の意味、すなわち、
前記ビットの一部または全部は、隣接するビットまたは隣接するビットグループに対応する第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されること、
前記ビットの一部または全部は、具体的な第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの少なくとも１つを示すために使用されることであって、前記具体的な第１のリソースセットは、前記第２の通信ノードが盲目的検出を実施する必要がある第１のリソースセット、前記ＰＤＳＣＨ伝送をスケジューリングするためのＰＤＣＣＨが位置する第１のリソースセット、前記動的シグナリングインジケーションによって送信される第１のリソースセット、および前記第１の通信ノードによって半静的に構成される具体的な第１のリソースセットのうちの１つであることを可能にされること、
前記ビットの一部または全部は、他のビットまたはビットグループに対応する全ての第１のリソースセットの以下の情報、すなわち、時間ドメイン分割が実施された後の多重化またはレートマッチングの状況、周波数ドメイン分割が実施された後の多重化またはレートマッチングの状況、および空間ドメイン分割が実施された後の多重化またはレートマッチングの状況のうちの１つを示すために使用されること、
前記ビットの一部または全部は、以下の状況、すなわち、キャリアまたは帯域幅部分のアクティブ化、キャリアまたは帯域幅部分のアクティブ化解除、およびキャリアまたは帯域幅部分のハンドオーバのうちの少なくとも１つが、後続時間ユニットにおいて生じるかどうかを示すために使用されること、
前記ビットの一部または全部は、後続時間ユニットによって送信される動的シグナリングインジケーションの長さが変化するかどうかを示すために使用されること
のうちの少なくとも１つを示すことを可能にされる、項目１に記載の方法。
（項目２２）
前記分割は、
前記第１のリソースセットの以下のもの、すなわち、時間ドメイン、周波数ドメイン、および空間ドメインのうちの少なくとも１つが、等しく分割されることであって、ｎ個の等しい分割が、冗長ビットの数に従って実施されることが決定され、ｎは、正の整数であること、
前記等しい分割が実施された後、非冗長ビットおよび冗長ビットは、前記ＰＤＳＣＨ伝送または前記ＰＵＳＣＨ伝送に対して多重化されることが可能な前記第１のリソースセットの等しく分割された部分をともに示す、または前記ＰＤＳＣＨまたは前記ＰＵＳＣＨがレートマッチングを実施する必要がない等しく分割された部分をともに示し、前記冗長ビットは、前記ビットの一部または全部であること
を含む、項目２１に記載の方法。
（項目２３）
時間周波数リソースを決定するための方法であって、
第２の通信ノードによって、第１の通信ノードによって伝送される第１のリソースセットについての情報を受信することであって、前記情報は、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを含む、ことと、
前記情報に従って、以下の構成情報、すなわち、前記ＰＤＳＣＨ伝送または前記ＰＵＳＣＨ伝送に対して多重化されることを可能にされる時間周波数リソース、および前記ＰＤＳＣＨ伝送または前記ＰＵＳＣＨ伝送がレートマッチングを実施する必要がない時間周波数リソースのうちの１つを決定することであって、前記ＰＤＳＣＨ伝送は、データが、ＰＤＳＣＨを通して前記第２の通信ノードに伝送されるプロセスを含み、前記ＰＵＳＣＨ伝送は、前記第２の通信ノードがＰＵＳＣＨを通してデータを前記第１の通信ノードに伝送するプロセスを含む、ことと
を含む、方法。
（項目２４）
前記第１のリソースセットは、以下の情報、すなわち、
１つ以上のリソースセットまたはアップリンク制御チャネルリソースまたはアップリンク予約リソース、または、完全または部分的リソースセットまたはアップリンク制御チャネルリソースまたはアップリンク予約リソース、
１つ以上の制御リソースセット（ＣＯＲＥＳＥＴ）またはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、基準信号リソース、同期信号リソース、およびブロードキャストチャネルリソースのうちの１つを含む、１つ以上の具体的信号リソースまたは具体的チャネルリソース
のうちの１つである、項目２３に記載の方法。
（項目２５）
前記第２のリソースセットは、以下の情報、すなわち、
１つ以上のＣＯＲＥＳＥＴまたはアップリンク制御チャネルリソースまたはアップリンク予約リソース、または、完全または部分的ＣＯＲＥＳＥＴまたはアップリンク制御チャネルリソースまたはアップリンク予約リソース、および
１つ以上の具体的信号リソースまたは具体的チャネルリソースであって、前記具体的信号リソースのそれぞれまたは前記具体的チャネルリソースのそれぞれは、基準信号リソース、同期信号リソース、およびブロードキャストチャネルリソースのうちの１つを含む、１つ以上の具体的信号リソースまたは具体的チャネルリソース
のうちの１つを含む、項目２３に記載の方法。
（項目２６）
前記動的シグナリングインジケーションは、前記第１のリソースセットに関する多重化またはレートマッチング動的シグナリングインジケーションであり、前記第１のリソースセットに関する多重化またはレートマッチング動的シグナリングインジケーションの有効時間ドメイン範囲は、
前記第１のリソースセットが前記ＰＤＳＣＨまたは前記ＰＵＳＣＨの伝送によって使用されるリソースと重複されるときの第１の盲目的検出瞬間または第１の周期構成瞬間に対応する時間周波数リソース、
前記第１のリソースセットが前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットがＰＤＣＣＨドメインまたはアップリンク制御チャネルリソース範囲内の前記ＰＤＳＣＨまたは前記ＰＵＳＣＨの伝送によって使用されるリソースと重複されるときの全ての盲目的検出瞬間または全ての周期構成瞬間に対応する時間周波数リソース、
前記第１のリソースセットが前記ＰＤＳＣＨまたは前記ＰＵＳＣＨの伝送によって使用されるリソースと重複されるときの前記第２の通信ノードによって時間周波数リソースに実施される盲目的検出の結果に従って決定された有効時間ドメイン範囲、
前記第１のリソースセットが前記ＰＤＳＣＨまたは前記ＰＵＳＣＨの伝送によって使用されるリソースと重複されるときの第１のサブフレームまたは第１のスロット、および
前記第１のリソースセットが前記ＰＤＳＣＨまたは前記ＰＵＳＣＨの伝送によって使用されるリソースと重複されるときの全てのサブフレームまたは全てのスロット
のうちの１つであると決定される、項目２３に記載の方法。
（項目２７）
前記第２の通信ノードは、前記盲目的検出を実施し、前記第２の通信ノードの前記盲目的検出の結果が、前記第２の通信ノードに送信されたＰＤＣＣＨが検出されたことであるとき、前記方法はさらに、
前記第２の通信ノードによって、レートマッチングを前記第２の通信ノードに送信された検出されたＰＤＣＣＨによって占有される時間周波数リソースの周囲において実施し、残りのリソースに関して、前記第２の通信ノードに送信されたＰＤＣＣＨによって占有される時間周波数リソースを除外すること、
前記第２の通信ノードによって、前記多重化またはレートマッチング動的シグナリングインジケーションは、以下の瞬間、すなわち、前記盲目的検出瞬間、および前記第１のリソースセットが前記ＰＤＳＣＨ伝送によって使用されるリソースに重複するリソースに関して有効であることを決定すること、または
前記第２の通信ノードによって、前記多重化またはレートマッチング動的シグナリングインジケーションが前記第１のリソースセットに関して前記盲目的検出瞬間において無効であることを決定することあって、前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることが禁止される、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がある、こと
を含む、項目２６に記載の方法。
（項目２８）
前記第２の通信ノードは、前記盲目的検出を実施し、前記第２の通信ノードの前記盲目的検出の結果が、前記第２の通信ノードに送信されたＰＤＣＣＨが検出されないことであるとき、前記方法はさらに、
前記多重化またはレートマッチング動的シグナリングインジケーションは、前記第１のリソースセットに関して前記盲目的検出瞬間において有効であること、または
前記多重化またはレートマッチング動的シグナリングインジケーションは、前記盲目的検出瞬間において、前記第１のリソースセットに関して無効であることであって、前記盲目的検出瞬間において、前記第１のリソースセットが前記ＰＤＳＣＨ伝送によって使用されるリソースに重複する時間周波数リソースの全部または一部は、前記ＰＤＳＣＨ伝送に対して多重化されることを可能にされる、または前記盲目的検出瞬間において、前記ＰＤＳＣＨ伝送は、前記第１のリソースセットが前記ＰＤＳＣＨ伝送によって使用されるリソースに重複する時間周波数リソースの全部または一部の周囲でレートマッチングを実施する必要がないこと
を含む、項目２６に記載の方法。
（項目２９）
前記時間ドメインリソースユニットまたは前記周波数ドメインリソースユニットは、以下、すなわち、システム事前構成、前記第１の通信ノードの半静的構成、および前記第１の通信ノードの動的構成のうちの１つを通して構成される、項目７または８に記載の方法。
（項目３０）
時間周波数リソースを決定するためのデバイスであって、
第１の決定モジュールであって、前記第１の決定モジュールは、第２の通信ノードに関する第１のリソースセットについての以下の情報、すなわち、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを決定するように構成される、第１の決定モジュールと、
前記情報を前記第２の通信ノードに伝送するように構成される伝送モジュールであって、前記ＰＤＳＣＨ伝送は、データが、ＰＤＳＣＨを通して前記第２の通信ノードに伝送されるプロセスを含み、前記ＰＵＳＣＨ伝送は、前記第２の通信ノードがＰＵＳＣＨを通してデータを前記第１の通信ノードに伝送するプロセスを含む、伝送モジュールと
を備える、デバイス。
（項目３１）
時間周波数リソースを決定するためのデバイスであって、
第１の通信ノードによって伝送される第１のリソースセットについての情報を受信するように構成される受信モジュールであって、前記情報は、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを含む、受信モジュールと、
第２の決定モジュールであって、前記第２の決定モジュールは、前記情報に従って、以下の構成情報、すなわち、前記ＰＤＳＣＨ伝送に対して多重化されることを可能にされる時間周波数リソース、および前記ＰＤＳＣＨ伝送がレートマッチングを実施する必要がない時間周波数リソースのうちの１つを決定するように構成され、前記ＰＤＳＣＨ伝送は、ＰＤＳＣＨを通したデータ伝送のプロセスを含み、前記ＰＵＳＣＨ伝送は、ＰＵＳＣＨを通したデータ伝送のプロセスを含む、第２の決定モジュールと
を備える、デバイス。
（項目３２）
基地局であって、
第１のプロセッサであって、前記第１のプロセッサは、第２の通信ノードに関する第１のリソースセットについての以下の情報、すなわち、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、および前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを決定するように構成される、第１のプロセッサと、
前記情報を前記第２の通信ノードに伝送するように構成される第１の通信デバイスであって、前記ＰＤＳＣＨ伝送は、データが、ＰＤＳＣＨを通して前記第２の通信ノードに伝送されるプロセスを含み、前記ＰＵＳＣＨ伝送は、データが、ＰＵＳＣＨを通して伝送されるプロセスを含む、第１の通信デバイスと
を備える、基地局。
（項目３３）
端末であって、
第１の通信ノードによって伝送される第１のリソースセットについての情報を受信するように構成される第２の通信デバイスであって、前記情報は、前記第１のリソースセット内に含まれる第２のリソースセットの時間周波数リソース、前記第１のリソースセット内に含まれる前記第２のリソースセットの構成情報、前記第１のリソースセットの時間周波数リソース構成情報、または前記第１のリソースセットが物理ダウンリンク共有チャネル（ＰＤＳＣＨ）伝送または物理的アップリンク共有チャネル（ＰＵＳＣＨ）伝送に対して多重化されるかどうか、または前記ＰＤＳＣＨ伝送または前記ＰＵＳＣＨ伝送がレートマッチングを実施する必要があるかどうかを示すために使用される動的シグナリングインジケーションのうちの少なくとも１つを含む、第２の通信デバイスと、
第２のプロセッサであって、前記第２のプロセッサは、前記情報に従って、以下の構成情報、すなわち、前記ＰＤＳＣＨ伝送に対して多重化されることを可能にされる時間周波数リソース、および前記ＰＤＳＣＨ伝送がレートマッチングを実施する必要がない時間周波数リソースのうちの１つを決定するように構成され、前記ＰＤＳＣＨ伝送は、ＰＤＳＣＨを通したデータ伝送のプロセスを含み、前記ＰＵＳＣＨ伝送は、ＰＵＳＣＨを通したデータ伝送のプロセスを含む、第２のプロセッサと
を備える、端末。
（項目３４）
記憶されたプログラムを備える記憶媒体であって、実行されると、前記プログラムは、項目１−２９のいずれか１項に記載の方法を実行する、記憶媒体。
（項目３５）
プログラムを実行するように構成されるプロセッサであって、前記プログラムは、実行されると、項目１−２９のいずれか１項に記載の方法を実行する、プロセッサ。
【国際調査報告】
2021500779.tif 000014
2021500779.tif 000015
2021500779.tif 000016
2021500779.tif 000017